(57)【要約】  チャンネルセレクション送信のためのＨＡＲＱ−ＡＣＫインデックスマッピング及びアップリンクリソース割当が実行及び制御される。ユーザ端末がＨＡＲＱ−ＡＣＫ情報を基地局に送信する方法は、アップリンクサブフレームに関連付けられたＰｃｅｌｌのダウンリンクサブフレームの数ＫＰＣｅｌｌを確認し、アップリンクサブフレームに関連したＳｃｅｌｌのダウンリンクサブフレームの数ＫＳＣｅｌｌを確認し、上記ＰｃｅｌｌとＳｃｅｌｌのうち、少ない数のダウンリンクサブフレームを有するセルに対し、上記ＫＰＣｅｌｌとＫＳＣｅｌｌとの差を用いて当該差に対応した数のＤＴＸ応答を含むＤＴＸ（Discontinuous transmission）応答情報を生成し、上記生成したＤＴＸ応答情報と上記ユーザ端末により基地局から受信されたデータに対する応答情報を含むＨＡＲＱ−ＡＣＫ情報を生成し、上記生成されたＨＡＲＱ−ＡＣＫ情報を上記アップリンクサブフレームを通じて上記基地局に送信することを含む。
2015520991.tif 000002
【特許請求の範囲】
【請求項１】
ユーザ端末がＨＡＲＱ−ＡＣＫ（Hybrid Automatic Retransmit Request-Acknowledgment）情報を基地局に送信する方法であって、
アップリンクサブフレームに関連付けられたＰｃｅｌｌのダウンリンクサブフレームの数ＫＰＣｅｌｌを確認し、アップリンクサブフレームに関連付けられたＳｃｅｌｌのダウンリンクサブフレームの数ＫＳＣｅｌｌを確認し、
前記ＰｃｅｌｌとＳｃｅｌｌのうち、少ない数のダウンリンクサブフレームを有するセルに対し、前記ＫＰＣｅｌｌとＫＳＣｅｌｌの差を用いて当該差に対応した数のＤＴＸ応答を含むＤＴＸ（Discontinuous transmission）応答情報を生成し、
前記生成されたＤＴＸ応答情報と前記ユーザ端末により基地局から受信されたデータに対する応答情報を含むＨＡＲＱ−ＡＣＫ情報を生成し、
前記生成されたＨＡＲＱ−ＡＣＫ情報を、前記アップリンクサブフレームを通じて前記基地局に送信すること、
を含むことを特徴とする方法。
【請求項２】
前記ＤＴＸ応答情報を生成することは、
前記ＫＰＣｅｌｌが３かつ前記ＫＳＣｅｌｌが１の場合、または前記ＫＰＣｅｌｌが１かつ前記ＫＳＣｅｌｌが３の場合、２つのＤＴＸ応答情報を生成することを特徴とする、請求項１に記載の方法。
【請求項３】
前記ＤＴＸ応答情報を生成することは、
前記ＫＰＣｅｌｌが０の場合、前記ＫＳＣｅｌｌ個のＤＴＸ応答情報を生成するか、または
前記ＫＳＣｅｌｌが０の場合、前記ＫＰＣｅｌｌ個のＤＴＸ応答情報を生成することを特徴とする、請求項１に記載の方法。
【請求項４】
前記ＤＴＸ応答情報を生成する際に、前記ＤＴＸ応答は、前記Ｐｃｅｌｌと前記Ｓｃｅｌｌのうち、少ない数のダウンリンクサブフレームを有する前記セルで生成された各仮想ダウンリンクサブフレームに対しマッピングされ、前記差が前記仮想ダウンリンクサブフレームの数に対応していることを特徴とする、請求項１に記載の方法。
【請求項５】
基地局がＨＡＲＱ−ＡＣＫ（Hybrid Automatic Retransmit Request-Acknowledgment）情報をユーザ端末から受信する方法であって、
前記ユーザ端末が生成したＨＡＲＱ−ＡＣＫ情報を、アップリンクサブフレームを通じて前記受信し、
前記ＨＡＲＱ ＡＣＫ情報でアップリンクサブフレームに関連付けられたＰｃｅｌｌのダウンリンクサブフレームの数ＫＰＣｅｌｌを確認し、アップリンクサブフレームに関連付けられたＳｃｅｌｌのダウンリンクサブフレームの数ＫＳＣｅｌｌを確認し、
前記ＰｃｅｌｌとＳｃｅｌｌのうち、少ない数のダウンリンクサブフレームを有するセルに対し、前記ＫＰＣｅｌｌとＫＳＣｅｌｌの差を用いて当該差に対応した数のＤＴＸ応答を含んで生成されたＤＴＸ（Discontinuous transmission）応答情報と前記ユーザ端末により基地局から受信されたデータに対する応答情報を確認すること、
を含むことを特徴とする方法。
【請求項６】
前記ＨＡＲＱ−ＡＣＫ情報は、
前記ＫＰＣｅｌｌが３かつ前記ＫＳＣｅｌｌが１の場合、または前記ＫＰＣｅｌｌが１かつ前記ＫＳＣｅｌｌが３の場合、前記ＳＣｅｌｌにおいて生成された２つのＤＴＸ応答情報を含むことを特徴とする、請求項５に記載の方法。
【請求項７】
前記ＨＡＲＱ−ＡＣＫ情報は、
前記ＫＰＣｅｌｌが０の場合、前記ＫＳＣｅｌｌ個で生成されたＤＴＸ応答情報を含むか、または
前記ＫＳＣｅｌｌが０の場合、前記ＫＰＣｅｌｌ個で生成されたＤＴＸ応答情報を含むことを特徴とする、請求項５に記載の方法。
【請求項８】
前記ＨＡＲＱ−ＡＣＫ情報は、仮想ダウンリンクサブフレームを含み、
前記ＤＴＸ応答は、前記Ｐｃｅｌｌと前記Ｓｃｅｌｌのうち少ない数のダウンリンクサブフレームを有する前記セルで生成された各仮想ダウンリンクサブフレームに対しマッピングされ、前記差が前記仮想ダウンリンクサブフレームの数に対応していることを特徴とする、請求項５に記載の方法。
【請求項９】
ＨＡＲＱ−ＡＣＫ（Hybrid Automatic Retransmit Request-Acknowledgment）情報を基地局に送信するユーザ端末であって、
アップリンクサブフレームに関連付けられたＰｃｅｌｌのダウンリンクサブフレームの数ＫＰＣｅｌｌを確認し、アップリンクサブフレームに関連付けられたＳｃｅｌｌのダウンリンクサブフレームの数ＫＳＣｅｌｌを確認し、
前記ＰｃｅｌｌとＳｃｅｌｌのうち、少ない数のダウンリンクサブフレームを有するセルに対し、前記ＫＰＣｅｌｌとＫＳＣｅｌｌの差を用いて当該差に対応した数のＤＴＸ応答を含むＤＴＸ（Discontinuous transmission）応答情報を生成し、
前記生成されたＤＴＸ応答情報と前記ユーザ端末により基地局から受信されたデータに対する応答情報を含むＨＡＲＱ−ＡＣＫ情報を生成する制御部と、
前記生成されたＨＡＲＱ−ＡＣＫ情報を、前記アップリンクサブフレームを通じて前記基地局に送信する送信部と、
を含むことを特徴とする、ユーザ端末。
【請求項１０】
前記制御部は、
前記ＫＰＣｅｌｌが３かつ前記ＫＳＣｅｌｌが１の場合、または前記ＫＰＣｅｌｌが１かつ前記ＫＳＣｅｌｌが３の場合、２つのＤＴＸ応答情報を生成することを特徴とする、請求項９に記載のユーザ端末。
【請求項１１】
前記制御部は、
前記ＫＰＣｅｌｌが０の場合、前記ＫＳＣｅｌｌ個のＤＴＸ応答情報を生成するか、または
前記ＫＳＣｅｌｌが０の場合、前記ＫＰＣｅｌｌ個のＤＴＸ応答情報を生成することを特徴とする、請求項９に記載のユーザ端末。
【請求項１２】
前記制御部は、前記ＤＴＸ応答情報を生成し、
前記ＤＴＸ応答情報を生成する際に、前記ＤＴＸ応答は、前記Ｐｃｅｌｌと前記Ｓｃｅｌｌのうち、少ない数のダウンリンクサブフレームを有する前記セルで生成された各仮想ダウンリンクサブフレームに対しマッピングされ、前記差が前記仮想ダウンリンクサブフレームの数に対応していることを特徴とする、請求項９に記載のユーザ端末。
【請求項１３】
ＨＡＲＱ−ＡＣＫ（Hybrid Automatic Retransmit Request-Acknowledgment）情報をユーザ端末から受信する基地局であって、
前記ユーザ端末が生成したＨＡＲＱ−ＡＣＫ情報を、アップリンクサブフレームを通じて前記受信する受信部と、
前記ＨＡＲＱ ＡＣＫ情報でアップリンクサブフレームに関連付けられたＰｃｅｌｌのダウンリンクサブフレームの数ＫＰＣｅｌｌを確認し、アップリンクサブフレームに関連付けられたＳｃｅｌｌのダウンリンクサブフレームの数ＫＳＣｅｌｌを確認し、前記ＰｃｅｌｌとＳｃｅｌｌのうち、少ない数のダウンリンクサブフレームを有するセルに対し、前記ＫＰＣｅｌｌとＫＳＣｅｌｌの差を用いて当該差に対応した数のＤＴＸ応答を含んで生成されたＤＴＸ（Discontinuous transmission）応答情報と前記ユーザ端末により基地局から受信されたデータに対する応答情報を確認する制御部と、
を含むことを特徴とする、基地局。
【請求項１４】
前記ＨＡＲＱ−ＡＣＫ情報は、
前記ＫＰＣｅｌｌが３かつ前記ＫＳＣｅｌｌが１の場合、または前記ＫＰＣｅｌｌが１かつ前記ＫＳＣｅｌｌが３の場合、前記ＳＣｅｌｌにおいて生成された２つのＤＴＸ応答情報を含むことを特徴とする、請求項１３に記載の基地局。
【請求項１５】
前記ＨＡＲＱ−ＡＣＫ情報は、
前記ＫＰＣｅｌｌが０の場合、前記ＫＳＣｅｌｌ個で生成されたＤＴＸ応答情報を含むか、または
前記ＫＳＣｅｌｌが０の場合、前記ＫＰＣｅｌｌ個で生成されたＤＴＸ応答情報を含むことを特徴とする、請求項１３に記載の基地局。
【請求項１６】
前記ＨＡＲＱ−ＡＣＫ情報は、仮想ダウンリンクサブフレームを含み、
前記ＤＴＸ応答は、前記Ｐｃｅｌｌと前記Ｓｃｅｌｌのうち少ない数のダウンリンクサブフレームを有する前記セルで生成された各仮想ダウンリンクサブフレームに対しマッピングされ、前記差が前記仮想ダウンリンクサブフレームの数に対応していることを特徴とする、請求項１３に記載の基地局。
【発明の詳細な説明】
【技術分野】
【０００１】
本発明は、インターバンドＴＤＤ送信方式におけるチャンネルセレクション送信のためのＨＡＲＱ−ＡＣＫインデックスマッピング及びアップリンクリソース割当を制御する方法及び装置に関するものである。即ち、バンド間のＴＤＤ送信方式が相異し、クロスキャリアスケジューリングが設定された状況で送受信サブフレームの制限を克服し、ＨＡＲＱ−ＡＣＫインデックスをマッピングして物理アップリンク制御チャンネル（ＰＵＣＣＨ）ＡＣＫ／ＮＡＣＫ（Ａ／Ｎ）送信を実行する方法と、これを具現した装置について説明する。
【背景技術】
【０００２】
通信システムが発展するにつれて、事業体及び個人などの消費者は非常に多様な無線端末機を使用するようになった。現在の３ＧＰＰ系列のＬＴＥ（Long Term Evolution）、ＬＴＥ−Ａ（LTE Advanced）などの移動通信システムでは、音声中心のサービスを外れて、映像、無線データなどの多様なデータを送受信することができる高速大容量の通信システムとして、有線通信ネットワークに準ずる大容量データを送信することができる技術開発が要求されている。大容量のデータを送信するための方式に多数のコンポーネントキャリア（Component Carrier；ＣＣ）を通じてデータを効率的に送信することができる。一方、ＴＤＤ（Time Division Duplex）システムでは、送信（Transmission；Ｔｘ）と受信（Reception；Ｒｘ）を特定の周波数帯域を利用し、かつタイムスロットに区分してデータを送信及び受信することができる。
【０００３】
従来（Ｒｅｌｅａｓｅ−１０（Ｒｅｌ−１０））のキャリアアグリゲーション（ＣＡ）ＴＤＤでチャンネルセレクションとＰＵＣＣＨフォーマット３送信方法は全て１つのＰＣｅｌｌ ＵＬサブフレームに関連したＤＬサブフレームの数を同一であると仮定した。なぜならば、Ｒｅｌ−１０ ＣＡ ＴＤＤでは全てのサービングセルは同一なＴＤＤ ＵＬ−ＤＬ設定されると定義されたためである。しかしながら、相異するＴＤＤ設定が互いに異なるキャリア（carrier）に設定されるＲｅｌ−１１では物理アップリンク制御チャンネル（ＰＵＣＣＨ）送信方法に対して正確にサポートするためには、追加的なハンドリングが必要である。したがって、本明細書ではこのような環境で発生できるＰＵＣＣＨ送信方法に対する誤りを解決するための追加的なハンドリング方法について提案する。
【０００４】
即ち、ＰＣｅｌｌとＳＣｅｌｌとの間で互いに異なるＰＤＳＣＨ ＨＡＲＱタイミング（timing）で引き起こされる既存のＲｅｌ−１０チャンネルセレクション送信方法に対する問題点を解決し、これを改善させるための方法が必要である。
【発明の概要】
【発明が解決しようとする課題】
【０００５】
本発明の実施形態は、ユーザ端末によって基地局（ｅＮｏｄｅ−Ｂ（ｅＮＢ））にＨＡＲＱ−ＡＣＫ情報を送信する方法、基地局によってユーザ端末からＨＡＲＱ−ＡＣＫ情報を受信する方法、基地局にＨＡＲＱ−ＡＣＫ情報を送信するユーザ端末、およびユーザ端末からＨＡＲＱ−ＡＣＫ情報を受信する基地局を提供する。
【０００６】
本発明の追加的な特徴は、以下の説明に記載され、一部はその説明から明らかであり、または、本発明の実施によって知ることができる。
【課題を解決するための手段】
【０００７】
本発明の一実施形態は、ユーザ端末がＨＡＲＱ−ＡＣＫ（Hybrid Automatic Retransmit Request-Acknowledgment）情報を基地局に送信する方法において、アップリンクサブフレームに関連付けられた（associated）Ｐｃｅｌｌのダウンリンクサブフレームの数ＫＰＣｅｌｌを確認し、アップリンクサブフレームに関連付けられたＳｃｅｌｌのダウンリンクサブフレームの数ＫＳＣｅｌｌを確認し、前記ＰｃｅｌｌとＳｃｅｌｌのうち、少ない数のダウンリンクサブフレームを有するセルに対し、前記ＫＰＣｅｌｌとＫＳＣｅｌｌの差を用いて当該差に対応した数のＤＴＸ応答を含むＤＴＸ（Discontinuous transmission）応答情報を生成し、前記生成されたＤＴＸ応答情報と前記ユーザ端末により基地局から受信されたデータに対する応答情報を含むＨＡＲＱ−ＡＣＫ情報を生成し、前記生成されたＨＡＲＱ−ＡＣＫ情報を、前記アップリンクサブフレームを通じて前記基地局に送信することを含む。
【０００８】
本発明の一実施形態は、基地局がＨＡＲＱ−ＡＣＫ（Hybrid Automatic Retransmit Request-Acknowledgment）情報をユーザ端末から受信する方法において、前記ユーザ端末が生成したＨＡＲＱ−ＡＣＫ情報を、アップリンクサブフレームを通じて受信し、前記ＨＡＲＱ ＡＣＫ情報でアップリンクサブフレームに関連付けられた（associated）Ｐｃｅｌｌのダウンリンクサブフレームの数ＫＰＣｅｌｌを確認し、アップリンクサブフレームに関連付けられたＳｃｅｌｌのダウンリンクサブフレームの数ＫＳＣｅｌｌを確認し、前記ＰｃｅｌｌとＳｃｅｌｌのうち、少ない数のダウンリンクサブフレームを有するセルに対し、前記ＫＰＣｅｌｌとＫＳＣｅｌｌの差を用いて当該差に対応した数のＤＴＸ応答を含んで生成されたＤＴＸ（Discontinuous transmission）応答情報と前記ユーザ端末により基地局から受信されたデータに対する応答情報を確認することを含む。
【０００９】
本発明の一実施形態は、ＨＡＲＱ−ＡＣＫ（Hybrid Automatic Retransmit Request-Acknowledgment）情報を基地局に送信するユーザ端末において、アップリンクサブフレームに関連付けられた（associated）Ｐｃｅｌｌのダウンリンクサブフレームの数ＫＰＣｅｌｌと、アップリンクサブフレームに関連付けられたＳｃｅｌｌのダウンリンクサブフレームの数ＫＳＣｅｌｌを確認し、前記ＰｃｅｌｌとＳｃｅｌｌのうち、少ない数のダウンリンクサブフレームを有するセルに対し、前記ＫＰＣｅｌｌとＫＳＣｅｌｌの差を用いて当該差に対応した数のＤＴＸ応答を含むＤＴＸ（Discontinuous transmission）応答情報を生成し、前記生成されたＤＴＸ応答情報と前記ユーザ端末により基地局から受信されたデータに対する応答情報を含むＨＡＲＱ−ＡＣＫ情報を生成する制御部と、前記生成されたＨＡＲＱ−ＡＣＫ情報を、前記アップリンクサブフレームを通じて前記基地局に送信する送信部と、を含む。
【００１０】
本発明の一実施形態は、ＨＡＲＱ−ＡＣＫ（Hybrid Automatic Retransmit Request-Acknowledgment）情報をユーザ端末から受信する基地局において、前記ユーザ端末が生成したＨＡＲＱ−ＡＣＫ情報を、アップリンクサブフレームを通じて前記受信する受信部、前記ＨＡＲＱ ＡＣＫ情報でアップリンクサブフレームに関連付けられた（associated）Ｐｃｅｌｌのダウンリンクサブフレームの数ＫＰＣｅｌｌと、アップリンクサブフレームに関連付けられたＳｃｅｌｌのダウンリンクサブフレームの数ＫＳＣｅｌｌを確認し、前記ＰｃｅｌｌとＳｃｅｌｌのうち、少ない数のダウンリンクサブフレームを有するセルに対し、前記ＫＰＣｅｌｌとＫＳＣｅｌｌの差を用いて当該差に対応した数のＤＴＸ応答を含んで生成されたＤＴＸ（Discontinuous transmission）応答情報と前記ユーザ端末により基地局から受信されたデータに対する応答情報を確認する制御部を含む。
【００１１】
前述の一般的な説明及び以下の詳細な説明はいずれも例示的かつ説明的であり、請求される発明のさらなる説明を提供することを意図していることが理解されるべきである。
【００１２】
添付の図面は、本発明のさらなる理解を提供するために含まれ、本明細書に組み込まれて、本明細書の一部を構成し、本発明の実施形態を説明し、本発明の原理を説明するために説明と共に用いられる。
【図面の簡単な説明】
【００１３】
【図１】本発明の一実施形態によるインターバンド間ＣＡ環境を示す図である。
【図２】本発明の一実施形態による相異するＴＤＤ設定がなされたバンド間のＣＡを示す図である。
【図３】図１及び図２の実施形態によるインターバンド間ＣＡ環境下でユーザ端末の送信モードによってサブフレーム別動作方式を示す図である。
【図４】本発明の一実施形態によるＣＡ−ＴＤＤにおけるチャンネルセレクション送信のためのＰＵＣＣＨ送信方法を示す図である。
【図５】本発明の一実施形態による２つのセルのＭの値が２：１に対応する場合のＣａｓｅ−Ａを示す図である。
【図６】本発明の一実施形態による２セルのＭの値が２：１に対応する場合のＣａｓｅ−Ａを示す図である。
【図７】本発明の一実施形態によるＭ＝３の１つのアップリンクサブフレーム（Ｍとして参照される）に関連するダウンリンクサブフレームの数を有するサービングセルで時間領域バンドリングを適用しない場合を示している。
【図８】本発明の一実施形態による時間領域バンドリングを適用する場合を示している。
【図９】本発明の一実施形態による２セルのＭの値が４：１の場合を示している。
【図１０】本発明の一実施形態による２セルのＭの値が１：０の場合を示している。
【図１１】本発明の一実施形態による２セルのＭの値が２：０の場合を示している。
【図１２】本発明の一実施形態による２セルのＭの値が０：１の場合を示している。
【図１３】本発明の一実施形態による２セルのＭの値が０：２の場合を示している。
【図１４】本発明の一実施形態による２セルのＭの値が０：４の場合を示している。
【図１５】本発明の一実施形態による基地局とユーザ端末との間のシグナリングを示す図である。
【図１６】本発明の一実施形態によるユーザ端末で動作される過程を示す図である。
【図１７】本発明の一実施形態による基地局で動作される過程を示す図である。
【図１８】本発明の一実施形態によるユーザ端末での動作過程を示す図である。
【図１９】本発明の一実施形態による基地局の構成を示す図である。
【図２０】本発明の一実施形態によるユーザ端末の構成を示す図である。
【発明を実施するための形態】
【００１４】
特に断らない限り、図面および詳細な説明の全体にわたって、同一の図面参照符号は、同じ要素、特徴、および構造を指すことが理解されるであろう。相対的なサイズおよびこれらの要素の描写は、明確に、イラスト、および利便性のために誇張されることがある。
【００１５】
例示的な実施形態を例示的な実施形態が示される添付の図面を参照しながら詳細に説明する。本開示は、多くの異なる形態で具現化することができ、その中に記載した例示的な実施形態に限定されると解釈されるべきではない。この開示が徹底的かつ完全になるように、むしろ、これらの例示的な実施形態が提供され、当業者に十分に、本開示の範囲を十分に伝えるであろう。種々の変更、修正、及び記載されたシステム、装置、および/または方法の等価物は、本明細書に当業者に示唆思われます。要素、特徴、及び構造は、図面及び詳細な説明を通じて同一の参照符号を付して、その大きさ及びいくつかの要素の比率は明確化および便宜のために、図面では誇張されてもよい。
【００１６】
本発明の追加的な特徴は、以下の説明に記載され、一部はその説明から明らかであり、または、本発明の実施によって知ることができる。
【００１７】
本文書の目的のためによく使われる略語は、次の通りである。
ACK Acknowledgement
CCE Control Channel Element
CIF Carrier Indicator Field
DAI Downlink Assignment Index
DCI Downlink Control Information
DL Downlink
DTX Discontinuous Transmission
eNB evolved Node B/eNode-B
HARQ Hybrid Automatic Retransmit reQuest
HSPA High Speed Packet Access
LTE Long Term Evolution
NACK Negative Acknowledgement
PCell Primary Cell
PCFICH Physical Control Format Indicator Channel
PDCCH Physical Downlink Control Channel
PDSCH Physical Downlink Shared Channel
PHICH Physical Hybrid ARQ Indicator Channel
PUCCH Physical Uplink Control Channel
PUSCH Physical Uplink Shared Channel
RI Rank Indication
SCell Secondary Cell
SPS Semi-Persistent Scheduling
TDD Time Division Duplex
UE User Equipment
UL Uplink
UL-SCH Uplink Shared Channel
WCDMA Wideband Code Division Multiple Access
【００１８】
クロスキャリアスケジューリングがインターバンド間ＣＡ下で構成された場合、サービングセル間に異なるＰＤＳＣＨ ＨＡＲＱタイミングに基づいてＰＵＣＣＨ送信を処理するための方法が提供される。
【００１９】
ＰＵＣＣＨ送信効率は、異なるように構成されたＨＡＲＱタイミングに適切な空間(spatial)バンドリングまたは時間領域（time domain）バンドリングを適用することにより改善できる。
【００２０】
本発明での無線通信システムは、音声、パケットデータなどの多様な通信サービスを提供するために広く配置される。無線通信システムは、ユーザ端末（User Equipment；ＵＥ）及び基地局（Base Station；ＢＳ、またはｅＮＢ）を含む。本明細書でのユーザ端末は無線通信での端末を意味する包括的な概念であって、ＷＣＤＭＡ（登録商標）及びＬＴＥ、ＨＳＰＡなどでのＵＥ（User Equipment）は勿論、ＧＳＭ（登録商標）でのＭＳ（Mobile Station）、ＵＴ（User Terminal）、ＳＳ（Subscriber Station）、無線機器（wireless device）などを全て含む概念として解釈されなければならない。
【００２１】
基地局またはセル（cell）は、一般的にユーザ端末と通信する地点（station）をいい、ノード−Ｂ（Node-B）、ｅＮＢ（evolved Node-B）、セクター（Sector）、サイト（Site）、ＢＴＳ（Base Transceiver System）、アクセスポイント（Access Point）、リレーノード（Relay Node）など、他の用語と呼ばれることができる。
【００２２】
即ち、本明細書において、基地局またはセル（cell）は、ＣＤＭＡでのＢＳＣ（Base Station Controller）、ＷＣＤＭＡのＮｏｄｅＢ、ＬＴＥでのｅＮＢ、またはセクター（サイト）などがカバーする一部領域または機能を表す包括的な意味として解釈されなければならず、メガセル、マクロセル、マイクロセル、ピコセル、フェムトセル、及びリレーノード（relay node）通信範囲など、多様なカバレッジ領域を全て包括する意味である。
【００２３】
本明細書において、ユーザ端末と基地局は本明細書で記述される技術または技術的思想を具現することに使われる２つの送受信主体で、包括的な意味として使われ、特定に称される用語または単語により限定されるものではない。上記ユーザ端末と基地局は、本発明で記述される技術または技術的思想を具現することに使われる２つ（UplinkまたはDownlink）送受信主体で、包括的な意味として使われ、特定に称される用語または単語により限定されるものではない。ここで、アップリンク（Uplink、ＵＬ）はユーザ端末により基地局にデータを送受信する方式を意味し、ダウンリンク（Downlink、ＤＬ）は基地局によりユーザ端末１０にデータを送受信する方式を意味する。
【００２４】
無線通信システムに適用される多重アクセス方式には制限がない。ＣＤＭＡ（Code Division Multiple Access）、ＴＤＭＡ（Time Division Multiple Access）、ＦＤＭＡ（Frequency Division Multiple Access）、ＯＦＤＭＡ（Orthogonal Frequency Division Multiple Access）、ＯＦＤＭ−ＦＤＭＡ、ＯＦＤＭ−ＴＤＭＡ、ＯＦＤＭ−ＣＤＭＡのような多様な多重アクセス方式を使用することができる。本発明の一実施形態は、ＧＳＭ、ＷＣＤＭＡ、ＨＳＰＡを経てＬＴＥ及びＬＴＥ-advancedに進化する非同期無線通信と、ＣＤＭＡ、ＣＤＭＡ−２０００、及びＵＭＢに進化する同期式無線通信分野などのリソース割当に適用できる。本発明は、特定の無線通信分野に限定または制限されて解釈されてはならず、本発明の思想が適用できる全ての技術分野を含むものと解釈されなければならない。
【００２５】
アップリンク送信及びダウンリンク送信は互いに異なる時間を使用して送信されるＴＤＤ（Time Division Duplex）方式が使われることができ、または互いに異なる周波数を使用して送信されるＦＤＤ（Frequency Division Duplex）方式が使用できる。
【００２６】
また、ＬＴＥ、ＬＴＥ−Ａのようなシステムでは、１つのキャリアまたはキャリア対を基準にアップリンクとダウンリンクを構成して規格を構成する。アップリンクとダウンリンクは、ＰＤＣＣＨ（Physical Downlink Control CHannel）、ＰＣＦＩＣＨ（Physical Control Format Indicator CHannel）、ＰＨＩＣＨ（Physical Hybrid ARQ Indicator CHannel）、ＰＵＣＣＨ（Physical Uplink Control CHannel）などの制御チャンネルを介して制御情報を送信し、ＰＤＳＣＨ（Physical Downlink Shared CHannel）、ＰＵＳＣＨ（Physical Uplink Shared CHannel）などのデータチャンネルで構成されてデータを送信する。
【００２７】
一方、ＴＤＤではダウンリンクとアップリンクの時点が分かれるようになるが、多様なＴＤＤ設定が存在する場合、このような時点も多様になる。
【００２８】
以下の＜表１＞はＴＤＤ設定を示す表である。ＴＤＤ設定毎に異なるＵＬ−ＤＬサブフレーム送信タイミングを有することを確認することができる。
【００２９】
【表１】
2015520991.tif 000003
【００３０】
＜表１＞で、１０個のサブフレーム（subframe）に該当するラジオフレーム（radio frame）において、Ｄで表示された領域はダウンリンクであり、Ｕで表示された領域はアップリンクである。Ｓはスペシャルサブフレーム（special subframe）であって、ダウンリンクからアップリンクに切り換えられるサブフレーム（Downlink-to-Uplink Switch-point periodicity）である。
【００３１】
また、ＴＤＤで、＜表１＞のアップリンク−ダウンリンク設定によって各アップリンクサブフレームに関連したダウンリンクサブフレームは、次の通りである。
【００３２】
【表２】
2015520991.tif 000004
【００３３】
UL-DL Configによってダウンリンクサブフレームに関連するアップリンクサブフレームが変わる。一例に、UL-DL Config３番において、２番サブフレームはアップリンクサブフレームであり、７、６、１１番目の以前に受信したダウンリンクサブフレームに関連する。上記７、６、１１番目の以前に受信したダウンリンクサブフレームに対するＡＣＫ／ＮＡＣＫ情報が２番アップリンクサブフレームで送信できる。
【００３４】
一方、上記ＴＤＤ設定のうちの１つの設定を使用するようになる場合、ユーザ端末はどの時点でダウンリンクであり、どの時点でアップリンクであるかが予め分かる。このような情報は、ユーザ端末が予め予測して動作できるようにする。
【００３５】
一方、ＴＤＤ設定は各々のバンド（band）別に相異するように設定することができる。ところが、このような相異するように設定されたバンド内に含まれたキャリアを１つのユーザ端末が用いる場合がある。
【００３６】
図１は、本明細書の一実施形態によるインターバンド間ＣＡ環境を示す図である。図１では、フレキシブルなトラフィックローディングハンドリング（flexible traffic loading handling）のためのＣＡでのＴＤＤの相異する設定を示す図である。
【００３７】
１１０は、２つのコンポーネントキャリアが構成されることを示すが、ＣＣ＃１ １１１は高出力（high power）でｅＮＢから送信される信号のカバレッジを有するキャリアであり、ＣＣ＃２ １１２は低出力（low power）でｅＮＢから送信される信号のカバレッジを有するキャリアである。上記ＣＣ＃１ １１１及びＣＣ＃２ １１２は互いに異なるバンドに含まれたことを特徴とする。ＣＣ＃１ １１１のＴＤＤ設定（TDD configuration）は１であり、１８１の通りであり、ＣＣ＃２ １１２のＴＤＤ設定は２であり、１８２の通りである。一方、１１５はホットスポット（hot-spot）領域で、ＣＣ＃１ １１１及びＣＣ＃２ １１２のＣＡ環境で構成されている。また、１１０もＣＣ＃２カバレッジにあるＵＥのためにＣＡ構成が可能である。
【００３８】
ここで、１１５のホットスポットと通信を実行するユーザ端末はＣＣ＃１ １１１及びＣＣ＃２ １１２という相異するＴＤＤ設定があり、これは一部のサブフレームはアップリンクサブフレームとダウンリンクサブフレームがコンポーネントキャリア別に相異するように設定できる。
【００３９】
この場合、ユーザ端末がサポート可能な送信モードが半−二重（Half Duplex）か、または全−二重（Full Duplex）かによって、サブフレーム別に動作方式が相異するようになる。
【００４０】
同一なバンド内に他の共存（co-existence）するＴＤＤシステム（e. g. TD-SCDMA、Mobile WiMAXなど）との干渉問題を回避するために、インターバンドＣＡ（inter-band CA）上で互いに異なるＴＤＤ ＵＬ−ＤＬ設定が要求される。
【００４１】
低周波バンド（low frequency band）上に多くのＵＬサブフレームを含むＴＤＤ ＵＬ−ＤＬ設定が導入され、高周波バンド（high frequency band）上では多くのＤＬサブフレームを含むＴＤＤ ＵＬ−ＤＬ設定が導入される。このような構成はカバレッジ向上（coverage enhancement）に助けになり、またピークスループット（Peak throughput）に影響を与えるようになる。
【００４２】
図２は、本発明の一実施形態による相異するＴＤＤ設定がなされたバンド間のＣＡを示す図である。
【００４３】
図２はトラフィック適応（Traffic adaptation）を目的として使用できるインターバンド間の相異するＴＤＤ ＵＬ−ＤＬ設定（different TDD UL-DL configuration on inter-band）を示す。
【００４４】
図２をより詳細に説明すると、バンドＡ（Band A） ２１０とバンドＢ（Band B） ２２０内では同一であるか、または衝突しないようにＴＤＤ設定される。したがって、バンドＡ ２１０のコンポーネントキャリアＡはＬＴＥ方式により、ＴＤＤ設定１（TDD Configuration #1）に動作し、コンポーネントキャリアＢはＬＴＥ−Ａ方式により、ＴＤＤ設定１で動作する。そして、バンドＢ ２２０のコンポーネントキャリアＣはＬＴＥ−Ａ方式により、ＴＤＤ設定２で動作する。一方、バンドＢ ２２０のコンポーネントキャリアＤはＴＤ−ＳＣＤＭＡ方式により動作される。同一なバンドでは同一なＴＤＤ ＵＬ−ＤＬ設定となり、あるいは互いに衝突しないように構成される。
【００４５】
コンポーネントキャリアＢとＣをＣＡとするユーザ端末の場合、ＴＤＤ設定が相異するようになる（すなわち、ユーザ端末が相異するＵＬ−ＤＬ設定でインターバンド間ＣＡを持つ）。これは、上記端末が半−二重送信モードか、あるいは全−二重送信モードかによって、後述する図３のように一部のサブフレームをミュートさせるか、あるいは同時に送受信（simultaneous Tx/Rx）を実行することができる。
【００４６】
図３は、図１及び図２の実施形態によるインターバンド間ＣＡ環境下でユーザ端末の送信モードによってサブフレーム別動作方式を示す図である。ＣＣ＃１がＰＣｅｌｌ（Primary Cell）であり、ＣＣ＃２がＳＣｅｌｌ（Secondary Cell）の場合である。
【００４７】
図３の３１０はユーザ端末が半−二重送信モードのみサポートされる場合、ラジオフレームのうち、３、８番サブフレームにおいて、ＰＣｅｌｌのアップリンクサブフレームのみ動作し、ＳＣｅｌｌのダウンリンクサブフレームは動作しない、即ちＳＣｅｌｌの３、８番サブフレームはミュートされたサブフレーム（muted subframe）として動作するようになる。３１０では、ダウンリンクとアップリンクとが互いに衝突するサブフレーム（３番及び８番サブフレーム）では、いずれか１つのサブフレームのみでダウンリンクまたはアップリンクのみ動作するように半−二重送信モードで動作される。
【００４８】
一方、３２０はユーザ端末が全−二重送信モードのみサポートされる場合、ラジオフレームのうち、３、８番サブフレームにおいて、ＰＣｅｌｌのアップリンクサブフレームとＳＣｅｌｌのダウンリンクサブフレームとの双方が動作される。即ち、全−二重送信モードは送受信が同時に具現可能であるので（Simultaneous Tx/Rx）、ＰＣｅｌｌとＳＣｅｌｌ各々でのアップリンク／ダウンリンクが具現可能である。３２０では、ダウンリンクとアップリンクとが互いに衝突するサブフレーム（３番及び８番サブフレーム）でも全−二重送信モードで動作されるので、各々のダウンリンクとアップリンクサブフレームとの双方が動作される。
【００４９】
図３の構成において、半二重送信モードのユーザ端末の場合には、レファレンスＴＤＤ ＵＬ−ＤＬ設定（reference TDD UL-DL configuration）を使用することができる。即ち、衝突するサブフレーム（conflicting subframe）上でどの方向（アップリンクあるいはダウンリンク）を選択するかに対する情報をレファレンスＴＤＤ ＵＬ−ＤＬ設定情報を通じて選択（決定）することができる。この場合、互いに異なるＴＤＤ ＵＬ−ＤＬ設定によってＨＡＲＱ（Hybrid Automatic Retransmit reQuest）タイミング（timing）、スケジューリングタイミング（scheduling timing）などの問題が提起される。
【００５０】
図４は、本発明の一実施形態によるＣＡ−ＴＤＤにおけるチャンネルセレクション送信のためのＰＵＣＣＨ送信方法を示す図である。
【００５１】
図４で、Ｍは１つのアップリンクサブフレームに関連したダウンリンクサブフレームの数を意味する。図４で、ＤＬはダウンリンクサブフレームを意味し、ＵＬはアップリンクサブフレームを意味する。
【００５２】
４１０は、ＰＣｅｌｌ／ＳＣｅｌｌで各々１つのダウンリンクサブフレームがアップリンクサブフレームを通じてＰＵＣＣＨ送信される過程を示す。上記ＰＣｅｌｌ／ＳＣｅｌｌは２つのＣＣが設定されたことを意味するが（2 configured CCs）、これに限定されるものではない。
【００５３】
ＦＤＤで使われる関係テーブルを使用する。次の数式を適用する。
【００５４】
【数１】
2015520991.tif 000005
【００５５】
数式（１）において、Ａはチャンネルセレクション送信方法のためのＰＵＣＣＨ送信に割り当てるためのリソース（resource、リソース）の数を意味する。Ａによって各ＨＡＲＱ−ＡＣＫの割当は次の＜表３＞のように適用可能である。
【００５６】
【表３】
2015520991.tif 000006
【００５７】
Ａが２の場合、即ち、ＰＣｅｌｌ、ＳＣｅｌｌ各々１ＣＷ（codeword）が送信される場合、必要とするリソースの総数（Ａ）は２であり、その結果、ＨＡＲＱ−ＡＣＫ（０）にＰＣｅｌｌで送信された１ＣＷに対し、ＨＡＲＱ−ＡＣＫ（１）にＳＣｅｌｌで送信された１ＣＷに対するＨＡＲＱ ＡＣＫ情報が割り当てられる。
【００５８】
一方、Ａが３の場合、ＰＣｅｌｌあるいはＳＣｅｌｌのうち、いずれか１つのセルでは１ＣＷが、他の１つのセルでは２ＣＷが送信される。この場合、２ＣＷが送信されたセル（ｃｅｌｌ１）をＨＡＲＱ−ＡＣＫ（０）及びＨＡＲＱ−ＡＣＫ（１）にｃｅｌｌ１から送信された２ＣＷに対するＨＡＲＱ ＡＣＫ情報が含まれ、ＨＡＲＱ−ＡＣＫ（２）は１ＣＷが送信されたセル（ｃｅｌｌ２）のＨＡＲＱ ＡＣＫ情報が含まれる。例えば、ＰＣｅｌｌで２ＣＷが送信されればＰＣｅｌｌがｃｅｌｌ１となり、ＳＣｅｌｌがｃｅｌｌ２となる。
【００５９】
Ａが４の場合、即ち、ＰＣｅｌｌ、ＳＣｅｌｌ各々２ＣＷが送信される場合、必要とするリソースの総数（Ａ）は４であり、その結果、ＨＡＲＱ−ＡＣＫ（０）、ＨＡＲＱ−ＡＣＫ（１）にＰＣｅｌｌで送信された２ＣＷに対する情報が含まれ、ＨＡＲＱ−ＡＣＫ（２）、ＨＡＲＱ−ＡＣＫ（３）にＳＣｅｌｌで送信された２ＣＷに対する情報が含まれる。
【００６０】
４２０は、ＰＣｅｌｌ／ＳＣｅｌｌ（2 configured CCS）で各々２つのダウンリンクサブフレームに関連したアップリンクサブフレームを通じてＰＵＣＣＨ送信される過程を示す。
【００６１】
この場合にはＡ＝４リソースを使用して以下の＜表４＞のようなマッピングルール（mapping rule）を通じてチャンネルセレクション送信方法を実行する。
【００６２】
【表４】
2015520991.tif 000007
【００６３】
４３０、４４０は、ＰＣｅｌｌ／ＳＣｅｌｌでＭ＞２の場合を示している。
【００６４】
Ｍ＝３、４の場合には、Ｍ＝１またはＭ＝２の場合に適用していた＜表３＞、＜表４＞を使用せず、次のような方式によりチャンネルセレクション送信を実行する。
【００６５】
ＰＣｅｌｌで送信されるＰＤＣＣＨが指示するＰＤＳＣＨ送信やDL Semi-Persistent Scheduling(SPS) releaseが指示するＰＤＣＣＨがＰＣｅｌｌで受信される場合に、次のようなａ−ｉ）またはａ−ｉｉ）を適用してＰＵＣＣＨリソースを導入する。
【００６６】
2015520991.tif 000008
【００６７】
この場合、ＨＡＲＱ−ＡＣＫ（０）はＳＰＳ ＰＤＳＣＨに対するA／Nが割り当てられる。
【００６８】
2015520991.tif 000009
【００６９】
2015520991.tif 000010
【００７０】
2015520991.tif 000011
【００７１】
ＳＣｅｌｌに送信されるＰＤＣＣＨが指示するＰＤＳＣＨ送信がＳＣｅｌｌで受信される場合、方法ｂ−ｉ）またはｂ−ｉｉ）を適用する。
【００７２】
ｂ−ｉ）ＰＣｅｌｌでのクロスキャリアスケジューリング（Cross-carrier scheduling on PCell）の場合
【００７３】
2015520991.tif 000012
【００７４】
2015520991.tif 000013
【００７５】
ｂ−ｉｉ）セルフスケジューリング（Self scheduling）の場合
【００７６】
2015520991.tif 000014
【００７７】
2015520991.tif 000015
【００７８】
図４ではＣＡ環境内でＰＣｅｌｌとＳＣｅｌｌのＭ値が同一に構成されている。しかしながら、ＰＣｅｌｌとＳＣｅｌｌの性能向上のためにはＭ値を独立的に設定することが必要である。
【００７９】
従来（Ｒｅｌ−１０）のＣＡ ＴＤＤにおいて、チャンネルセレクションとＰＵＣＣＨフォーマット３送信方法は、全て１つのＰＣｅｌｌ ＵＬサブフレームに関連したＤＬサブフレームの数を同一であると仮定した。なぜならば、Ｒｅｌ−１０ ＣＡ ＴＤＤでは全てのサービングセルは同一なＴＤＤ ＵＬ−ＤＬが設定されると定義されたためである。しかしながら、相異するＴＤＤ設定が互いに異なるキャリア（carrier）に設定できるＲｅｌ−１１ではＰＵＣＣＨ送信方法に対して正確にサポートするためには追加的なハンドリングが必要である。したがって、本明細書ではこのような環境で発生できるＰＵＣＣＨ送信方法に対する誤りを解決するための追加的なハンドリング方法に対して提案する。
【００８０】
即ち、ＰＣｅｌｌとＳＣｅｌｌとの間で互いに異なるＰＤＳＣＨ ＨＡＲＱタイミングで引起こされる既存のＲｅｌ−１０チャンネルセレクション送信方法に対する問題点の解決方式及び改善された方法に対して説明する。
【００８１】
従来技術（Ｒｅｌ−１０）において、チャンネルセレクション送信方法は、ただ２つのＣＣが設定されたＣＡ ＵＥのみにＨＡＲＱ−ＡＣＫ送信方法として定義された。特に、ＴＤＤ（Frame structure type 2）ではＦＤＤ（Frame structure type 1）とは異なり、１つのＵＬサブフレーム上で送信しなければならないＨＡＲＱ−ＡＣＫフィードバック（feedback）がＤＬサブフレームの数の増加によって、より多くなることがある。したがって、Ｒｅｌ−１０ではＴＤＤ ＣＡ状況でチャンネルセレクション送信のために幾つのマッピングルールとリソース割当ルール（mapping rule、resource allocation rule）などをＤＬサブフレームの数（即ち、先の＜表３＞、＜表４＞でのＭ値）に従って異なるように定義して置いた。しかしながら、前述したように、互いに異なるＴＤＤ ＵＬ−ＤＬ設定がＴＤＤ ＣＡ環境に適用された時（より正確には、ＰＣｅｌｌとＳＣｅｌｌとが互いに異なるＰＤＳＣＨ ＨＡＲＱタイミングによって）は、正確なチャンネルセレクション送信のために追加的なハンドリングが要求される。＜表５＞では、従来の技術（Ｒｅｌ−１０ ＣＡＳＥ）でカバーされる状況を除外した他の場合（Ｃａｓｅ−Ａ、Ｃａｓｅ−Ｂ、Ｃａｓｅ−Ｃ）を表示し、本明細書では各々のＣａｓｅ−Ａ、Ｃａｓｅ−Ｂ、Ｃａｓｅ−Ｃ、Ｃａｓｅ−Ｄに対する追加的なハンドリング方法を提案する。
【００８２】
【表５】
2015520991.tif 000016
【００８３】
一旦、ＰＣｅｌｌとＳＣｅｌｌに互いに異なるＭ値を称するための追加的なパラメータ（parameters）が要求される。本発明ではそれを次の通り定義する。
【００８４】
2015520991.tif 000017
【００８５】
勿論、これはＰＣｅｌｌとＳＣｅｌｌとが互いに異なるＭ値を有する場合に対するパラメータになることができ、表現はこれに限定するものではない。
【００８６】
以下に説明するＣａｓｅ−Ａ／Ｂ／Ｃ／Ｄにおいて、サービングセルを指示する＃１、＃２は、ＰＣｅｌｌまたはＳＣｅｌｌに限定されるものではなく、各ケースによって、あるいは予め基地局−端末間の約束により定まることができる。また、各ケースによってＨＡＲＱ−ＡＣＫ（ｊ）とマッピングした場合は、その順序を逆順にするか、または変更されることができ、これは具現方式によって多様に適用できる。
【００８７】
Ｅｘｅｍｐｌａｒｙ  Ｃａｓｅ−Ａ
最初に、２つのサービングセル（ＰＣｅｌｌ、ＳＣｅｌｌ）のＤＬサブフレーム上で１つのＵＬサブフレームに関連したＤＬサブフレームの数が２：１の場合に対して考慮する。Ｃａｓｅ−Ａでチャンネルセレクション送信方法のために要求されるＰＵＣＣＨリソースの数である“Ａ”の値に従うＨＡＲＱ−ＡＣＫ（ｊ）マッピング（Mapping of Transport Block and Serving Cell to HARQ-ACK(j) for PUCCH format 1b HARQ-ACK channel selection in different TDD configurations）は＜表６＞の通りである。
【００８８】
【表６】
2015520991.tif 000018
【００８９】
＜表６＞で、ＨＡＲＱ−ＡＣＫ（０）とＨＡＲＱ−ＡＣＫ（１）はサービングセル＃１の２つのサブフレームに各々マッピングされ、ＨＡＲＱ−ＡＣＫ（２）またはＨＡＲＱ−ＡＣＫ（３）には１つのサブフレームにダウンリンク送信が含まれたセル（サービングセル＃２）の１つのサブフレームのＴＢが１つまたは２つが各々マッピングされることが分かる。
【００９０】
上記のＭ＝２：１場合において、ＰＵＣＣＨリソースの数と該当サービングセルとのマッピング関係に対して次のように説明する。
【００９１】
図５は、本発明の一実施形態によるＣａｓｅ−Ａの場合を示す図である。図５ではＰＣｅｌｌのＭが１であり、ＳＣｅｌｌのＭが２の場合を示している。勿論、本発明は図５の反対の場合であるＰＣｅｌｌのＭが２であり、ＳＣｅｌｌのＭが１の場合にも適用可能である。
【００９２】
図５では、チャンネルセレクション送信のために要求されるＰＵＣＣＨリソースの数である“Ａ”の値が３の場合（Ａ＝３）を示している。
【００９３】
上記のＡ＝３の場合では、各々のサービングセルに設定されたＴＭ（Transmission）モードと設定されたサービングセル（configured serving cell）の数、そしてＭ値に従って互いに異なる関連関係を有することができる（＜表６＞及び図５、図６参照）。図５のように、Ａ＝３で、ＨＡＲＱ−ＡＣＫビットの数が４個以上の場合では、全てのＣＣのＤＬサブフレームに空間バンドリング（spatial bundling）を実行することを適用（５２０、５３０、５４０）している。この際、Ａ＝３に該当する＜表６＞のチャンネルセレクションマッピングテーブル（channel selection mapping table）を用いてＰＵＣＣＨフォーマット１ｂに送信する。
【００９４】
即ち、Ａ＝３の場合、＜表６＞をＣａｓｅ−Ａに適用すれば、２つのダウンリンクサブフレームがアップリンクサブフレームに結合されるサービングセル（Ｍ＝２）をＨＡＲＱ−ＡＣＫ（０）及びＨＡＲＱ−ＡＣＫ（１）に割り当てて、Ｍ＝１のサービングセルをＨＡＲＱ−ＡＣＫ（２）に割り当てる。勿論、このような順序は予め約束したところによって反対にすることもできる。例えば、＜表６＞と反対に、１つのダウンリンクサブフレームがアップリンクサブフレームに結合されるサービングセル（Ｍ＝１）をＨＡＲＱ−ＡＣＫ（０）に割り当てて、２つのダウンリンクサブフレームがアップリンクサブフレームに結合されるサービングセル（Ｍ＝２）をＨＡＲＱ−ＡＣＫ（１）及びＨＡＲＱ−ＡＣＫ（２）に割り当てることもできる。
【００９５】
したがって、図５の５１０、５２０、５３０、５４０をＡ＝３の場合の＜表６＞のマッピングを整理すると、＜表７＞の通りである。
【００９６】
【表７】
2015520991.tif 000019
【００９７】
また、Ａ（＝３）個のＰＵＣＣＨリソースを導入する方法は、ｃ−ｉ）、ｃ−ｉｉ）、ｃ−ｉｉｉ）、ｃ−ｉｖ）の通りである。
【００９８】
2015520991.tif 000020
【００９９】
2015520991.tif 000021
【０１００】
2015520991.tif 000022
【０１０１】
2015520991.tif 000023
【０１０２】
2015520991.tif 000024
【０１０３】
図６は、本発明の他の実施形態によるＣａｓｅ−Ａの場合を示す図である。図６では、ＰＣｅｌｌのＭが１であり、ＳＣｅｌｌのＭが２の場合を示している。勿論、本発明は図６の反対の場合であるＰＣｅｌｌのＭが２であり、ＳＣｅｌｌのＭが１の場合にも適用可能である。
【０１０４】
図６では、チャンネルセレクション送信のために要求されるＰＵＣＣＨリソースの数である“A”の値が４の場合（Ａ＝４）を示している。ＰＣｅｌｌでＭの値が１であるので、ＰＣｅｌｌでダウンリンクサブフレームは２ＣＷである。
【０１０５】
図６では、Ａ＝４の場合で、ＨＡＲＱ−ＡＣＫビットのマルチプレキシング（multiplexing）能力を補完して１つのサービングセル（serving cell）にはＨＡＲＱ−ＡＣＫビットの数が４個を超える場合でも空間バンドリング（spatial bundling）を適用せず（serving cell with Ｍ＝１）、直ぐマルチプレキシングする方法が適用される。これによって、ダウンリンクスループット（DL Throughput）を増加させることができる。この場合にはＡ＝４に該当する＜表６＞のチャンネルセレクションマッピングテーブル（channel selection mapping table）を用いてＰＵＣＣＨフォーマット１ｂに送信することができる。
【０１０６】
したがって、図６の６１０、６２０をＡ＝４の場合の＜表６＞のマッピングを整理すると、＜表８＞の通りである。
【０１０７】
【表８】
2015520991.tif 000025
【０１０８】
この場合にはＡ＝４であるので、４個のＰＵＣＣＨリソース（resource）を導入しなければならず、その導入過程はｄ−ｉ）、ｄ−ｉｉ）、ｄ−ｉｉｉ）、ｄ−ｉｖ）の通りである。
【０１０９】
2015520991.tif 000026
【０１１０】
2015520991.tif 000027
【０１１１】
2015520991.tif 000028
【０１１２】
ｄ−ｉｖ）ＳＣｅｌｌはＭ＝１またはＭ＝２を有することに関わらず、２つの明示的ＰＵＣＣＨリソース（explicit PUCCH resource）を上位階層設定（higher layer configuration）とＤＬ ＤＣＩ内にあるＴＰＣフィールドを用いて指示する。
【０１１３】
Ｅｘｅｍｐｌａｒｙ  Ｃａｓｅ−Ｂ
次に、先に２つのサービングセル（ＰＣｅｌｌ、ＳＣｅｌｌ）のＤＬサブフレーム上で１つのＵＬサブフレームに関連したＤＬサブフレームの数が３：１の場合に対して考慮する（＜表５＞参照）。Ｃａｓｅ−Ｂで、チャンネルセレクション送信のために要求されるＰＵＣＣＨリソースの数である“Ａ”は４となる。
【０１１４】
以下、Ｍ＝３：１（１：３）ケース（Ａはチャンネルセレクション送信のために要求されるＰＵＣＣＨリソースの数）でＨＡＲＱ−ＡＣＫ（ｊ）と該当サービングセルとのマッピングに対して説明すると、次の通りである。
【０１１５】
図７、図８、及び図９は、Ｃａｓｅ−Ｂの場合を示している。Ｃａｓｅ−Ｂではいずれか１つのサービングセルにおいて、３個のダウンリンクサブフレームに１つのアップリンクサブフレームが関連したので、Ｒｅｌ−１０のように空間バンドリング（２ＴＢが送信されるＣＣに適用）に追加的に時間領域バンドリング（time domain bundling）を追加的に考慮することもできる。したがって、本明細書では時間領域バンドリングを実行する場合及びそうでない場合を考慮してＨＡＲＱ−ＡＣＫを送信する方法を説明する。
【０１１６】
図７は、Ｍ＝３のサービングセルで時間領域バンドリングを適用しない場合を示している。
【０１１７】
＜表９＞は２サービングセル間のＭが３：１（または、１：３）の場合のＨＡＲＱ−ＡＣＫリソース割当方式を示す。
【０１１８】
【表９】
2015520991.tif 000029
【０１１９】
＜表９＞では３個のダウンリンクサブフレームがアップリンクサブフレームに関連しているサービングセル（serving cell ＃１）の３個のダウンリンクサブフレームを各々ＨＡＲＱ−ＡＣＫ（０）、ＨＡＲＱ−ＡＣＫ（１）、ＨＡＲＱ−ＡＣＫ（２）にマッピングし、１つのダウンリンクサブフレームがアップリンクサブフレームに関連しているサービングセル（serving cell ＃２）の１つのダウンリンクサブフレームをＨＡＲＱ−ＡＣＫ（３）にマッピングする。勿論、３個のダウンリンクサブフレームをＨＡＲＱ−ＡＣＫ（１）、ＨＡＲＱ−ＡＣＫ（２）、ＨＡＲＱ−ＡＣＫ（３）にマッピングさせ、他のサービングセルをＨＡＲＱ−ＡＣＫ（０）にマッピングさせるか、または＜表９＞の順序を逆順に配列するなど、多様に変形して実施することができる。
【０１２０】
＜表９＞を図７の７１０、７２０、７３０、７４０に適用すれば、＜表１０＞の通りである。
【０１２１】
【表１０】
2015520991.tif 000030
【０１２２】
一方、＜表１０＞のＨＡＲＱ−ＡＣＫ（ｊ）リソースを指示するために次のｅ−ｉ）、ｅ−ｉｉ）、ｅ−ｉｉｉ）の方法を適用する。
【０１２３】
2015520991.tif 000031
【０１２４】
2015520991.tif 000032
【０１２５】
ｅ−ｉｉｉ）ＳＣｅｌｌはＭ＝１の場合、１つの明示的ＰＵＣＣＨリソース（explicit PUCCH resource）を上位階層設定（higher layer configuration）とＤＬ ＤＣＩ内にあるＴＰＣフィールドを用いて指示する。Ｍ＝３の場合では、明示的に３個のＰＵＣＣＨリソース（explicit PUCCH resource）を上位階層設定（higher layer configuration）とＤＬ ＤＣＩ内にあるＴＰＣフィールドを用いて指示する。
【０１２６】
図８は、本発明の一実施形態による時間領域バンドリングを適用する場合を示している。８１０はＭ＝３のサービングセルに対してのみ時間領域バンドリングを適用する場合を示しており、８２０ではＭ＝３のサービングセルだけでなくＭ＝１のサービングセルに対しても時間領域バンドリングを適用する場合を示している。
【０１２７】
８１０では、ＰＣｅｌｌで３個のダウンリンクサブフレームを時間領域バンドリングして２つのＨＡＲＱ−ＡＣＫリソースを必要とするようになる。ＳＣｅｌｌは１ＣＷであるので、１つのＨＡＲＱ−ＡＣＫリソースを必要とするようになる。勿論、この過程でＳＣｅｌｌが２ＣＷの場合、Ｃａｓｅ−Ｃに該当し、総４個のＨＡＲＱ−ＡＣＫリソースを必要とするようになる。
【０１２８】
８１０の場合にはＰＣｅｌｌでＡが２となるので、＜表６＞の方式と類似するように具現することができる。これは、＜表１１＞のように具現することができる。＜表１１＞を８１０に適用する場合、Serving cell ＃１はＰＣｅｌｌとなり、serving cell＃２はＳＣｅｌｌとなる。ＳＣｅｌｌで１ＣＷが送信される場合、＜表１１＞のＡ＝３に該当し、ＳＣｅｌｌで２ＣＷが送信される場合、＜表１１＞のＡ＝４に該当する。
【０１２９】
【表１１】
2015520991.tif 000033
【０１３０】
より詳しく説明すると、次の通りである。
【０１３１】
８１０では、＜表３＞のＡ＝３のチャンネルセレクションマッピングテーブルを使用することもできる。または、時間領域バンドリングが適用されないサービングセルのＴＢが２つのＴＢ送信モードの場合には、＜表３＞のＡ＝４に該当するチャンネルセレクションマッピングテーブルを使用してチャンネルセレクション送信を実行することができる。
【０１３２】
2015520991.tif 000034
【０１３３】
８２０はＭ＝３のサービングセルだけでなく、Ｍ＝１のサービングセルに対しても時間領域バンドリングを適用する場合を示している。Ｍ＝１のサービングセルに対して時間領域バンドリングを適用するために、仮想のＤＬサブフレーム（Virtual Downlink subframe）があることと仮定する。上記仮想のＤＬサブフレームのＡ／Ｎ値はＤＴＸ（Discontinuous Transmission）、ＡＣＫ（AcknowledgeまたはAcknowledgement）、ＮＡＣＫ（Negative Acknowledgement）など、基地局と事前調整した方式に従う。
【０１３４】
８２０ではＰＣｅｌｌはＭ＝３、ＳＣｅｌｌはＭ＝１の個数でＤＬサブフレームを有しているので、より大きいＭ値、即ちＭ＝３の値を基準に時間領域バンドリング方法を適用する。したがって、Ｍ＝１を有するサービングセル（８２０でＳＣｅｌｌ）は、Ｍ＝３として仮想的に仮定して既存のＰＣｅｌｌとＳＣｅｌｌが全て同一なＭ＝３を有する環境と見ることができる。したがって、同一なＭ＝３の時間領域バンドリングを用いてＨＡＲＱ−ＡＣＫを送信する。
【０１３５】
関連したＰＵＣＣＨリソース割当方法は前述した方法により具現することができる。
【０１３６】
この場合には、＜表９＞のようなサービングセルとＨＡＲＱ−ＡＣＫマッピング関係を使用しない。
【０１３７】
８２０でより小さなＭ値を有するサービングセルはより多いＭ値（この場合Ｍ＞２の場合）を有するサービングセルのＭ値と仮定する。８２０の場合、ＳＣｅｌｌに対するＭ値は３と仮定する。
【０１３８】
このような仮定において、ＵＥは８２１、８２２のようなブランクサブフレーム（blank subframeまたはvirtual subframes）のＡＣＫ／ＮＡＣＫ情報（Ａ／Ｎ state）はＤＴＸまたはＮＡＣＫ／ＤＴＸと予め約束するか、または設定することができる。
【０１３９】
Ｅｘｅｍｐｌａｒｙ  Ｃａｓｅ−Ｃ
Ｃａｓｅ−Ａ／Ｂでない場合には、図９のように時間領域バンドリングを適用することができる。図９は、本発明の一実施形態による２セルのＭの値が４：１の場合を示している。
【０１４０】
図９は、本明発明の一実施形態による２セルのＭの値が各々４：１／４：２／４：３／３：２の場合のうちの１つを示している。図９では、ＰＣｅｌｌで時間領域バンドリングをして２ビット、即ち２つのＨＡＲＱ−ＡＣＫリソースにマッピングされ、ＳＣｅｌｌは１ＣＷまたは２ＣＷの場合、あるいは１つまたは２つのサブフレームが送信される場合、１〜２ビット、即ち２つのＨＡＲＱ−ＡＣＫリソースにマッピングされる。仮に、ＳＣｅｌｌでＭ＝３の場合にはＳＣｅｌｌでも時間領域バンドリングを実行することができる。
【０１４１】
即ち、２セルのうちからＭの値が大きい場合には、該当セルには時間領域バンドリングを適用し、他の１つのセルのＭの値が３となる場合にも時間領域バンドリングを適用することができる。または、前述したように、より大きいＭ値を使用する方法に基づいて、ＰＣｅｌｌとＳＣｅｌｌとの間で同一なＭ値にするために、２つのサービングセル（serving cell）に仮想ダウンリンクサブフレーム（virtual DL subframe）を用いて現在のＲｅｌ−１０ ＰＵＣＣＨ Ａ／Ｎ送信方法が適用されることができる。
【０１４２】
Ｅｘｅｍｐｌａｒｙ  Ｃａｓｅ−Ｄ
前述したＣａｓｅ−Ａ乃至ＣはＰＣｅｌｌ及びＳＣｅｌｌのＭの値が０でなく、互いに異なる場合に対する場合である。
【０１４３】
一方、現在考慮されているＰＣｅｌｌとＳＣｅｌｌのために適用できるＴＤＤタイミングの組合を考慮すれば、ＰＣｅｌｌまたはＳＣｅｌｌのうちのいずれか１つのサービングセル上で特定アップリンクサブフレームに関連したダウンリンクサブフレームが存在しない場合、即ち、Ａ／Ｎ送信が発生しない場合が発生することがある。言い換えると、特定アップリンクサブフレームでＰＣｅｌｌ上のＰＤＳＣＨ送信またはＤＬ ＳＰＳ Ｒｅｌｅａｓｅを指示するＰＤＣＣＨに対するＡ／ＮのみがＳＣｅｌｌのそれらを除いて送信されるか、またはＳＣｅｌｌ上のＰＤＳＣＨ送信またはＤＬ ＳＰＳ Ｒｅｌｅａｓｅを指示するＰＤＣＣＨに対するＡ／ＮのみがＰＣｅｌｌのそれらを除いて送信できる。
【０１４４】
例えば、ＰＣｅｌｌとＳＣｅｌｌがＭ＝１：０、０：１、２：０、０：２、０：４などになることができる。しかしながら、本ケースはこのような場合のみに制限されるものではない。
【０１４５】
このような場合、一例において、図８の８２０と類似な方式で、ダウンリンクサブフレームが存在しないセルのＭ値をダウンリンクサブフレームが存在するセルのＭ値と同一であるように仮想的に仮定して２つのセルが全て同一なＭ値を有する環境を適用することができる。例えば、ＰＣｅｌｌはＭ＝０であり、ＳＣｅｌｌはＭ＝１の場合、ＰＣｅｌｌに対してもＭ＝１と仮定するものである。そして、ＰＣｅｌｌ及びＳＣｅｌｌはＭ＝１の場合のＰＵＣＣＨリソース割当方法を適用するものである。
【０１４６】
しかしながら、端末と基地局はＭ＝０の場合にＡ／Ｎ情報をＤＴＸに固定することができ、該当ＤＴＸ情報を端末が基地局に報告する必要はない。このような場合、以下に技術されるようなチャンネルセレクション送信方法が利用できる。
【０１４７】
以下の記述は２つのサービングセルが設定されている環境を仮定する。キャリア指示フィールド（carrier indicator field:CIF）のクロスキャリアスケジューリングがＰＣｅｌｌにおいて設定されている場合、ＰＣｅｌｌをセルに対するスケジューリングを実行するスケジューリングセル（scheduling cell）と仮定し、ＳＣｅｌｌをスケジューリングセル（すなわち、ＰＣｅｌｌ）によりスケジューリングされるスケジュールドセル（schduled cell）と仮定する。
【０１４８】
Ｅｘｅｍｐｌａｒｙ  ＣａｓｅＤ−１：Ｍ＝１：０
図１０は、ＰＣｅｌｌはＭ＝１であり、ＳＣｅｌｌはＭ＝０の場合を図示する。このような場合、ＰＣｅｌｌ上の１つのダウンリンクサブフレーム上のＰＤＳＣＨ送信に対するＨＡＲＱ−ＡＣＫ送信のためにＰＵＣＣＨフォーマット１ａ／１ｂが利用できる。即ち、１０１０のように、ＰＣｅｌｌで１ＣＷが送信される場合（Ａ＝１）１ビットのＨＡＲＱ−ＡＣＫ送信のためにＰＵＣＣＨフォーマット１ａが利用されることができ、１０２０のように２ＣＷが送信される場合（Ａ＝２）、２ビットのＨＡＲＱ−ＡＣＫ送信のためにＰＵＣＣＨフォーマット１ｂが利用できる。このような場合、ＰＣｅｌｌ上でＰＤＳＣＨ送信が発生するので、該当ＰＤＳＣＨ送信を指示するＰＤＣＣＨ（ＤＡＩ＝１）またはＤＬ ＳＰＳ Ｒｅｌｅａｓｅを指示するＰＤＣＣＨ（ＤＡＩ＝１）が割り当てられる最初のＣＣＥ（ｎＣＣＥ）からＰＵＣＣＨリソースを得ることができる。また、ＤＬ ＳＰＳ Ｒｅｌｅａｓｅのため、同じアプローチがＰＵＣＣＨリソースの取得にも適用される。
【０１４９】
Ｅｘｅｍｐｌａｒｙ  ＣａｓｅＤ−２：Ｍ＝２：０
図１１は、ＰＣｅｌｌはＭ＝２であり、ＳＣｅｌｌはＭ＝０の場合を図示する。ＰＣｅｌｌで２つのダウンリンクサブフレーム上にＰＤＳＣＨ送信が発生できる。
【０１５０】
一例において、次の＜表１２＞のＨＡＲＱ−ＡＣＫインデックスとサービングセル上で送信される送信ブロック（Transport Block）との関係テーブルとチャンネルセレクションマッピングテーブルを使用してチャンネルセレクション送信を実行することができる。＜表１２＞を用いてＴＢとサービングセルをＨＡＲＱ−ＡＣＫ（ｊ）インデックスに互いに関連させることができる。
【０１５１】
【表１２】
2015520991.tif 000035
【０１５２】
図１１の１１１０のように、ＰＣｅｌｌで１ＣＷが送信される場合（ＭＩＭＯ送信モードでない場合）、要求されるＰＵＣＣＨリソースの数（Ａ）は２であり、＜表１２＞のＡ＝２に該当する。各ダウンリンクサブフレームでＰＤＣＣＨ（ＤＡＩ＝１，２）のｎＣＣＥを通じて総２つのＰＵＣＣＨリソースを導入することができる。
【０１５３】
図１１の１１２０のように、ＰＣｅｌｌで２ＣＷが送信される場合（ＭＩＭＯ送信モードの場合）、要求されるＰＵＣＣＨリソースの数（Ａ）は４であり、＜表１２＞のＡ＝４に該当する。各ダウンリンクサブフレームでＰＤＣＣＨ（ＤＡＩ＝１，２）のｎＣＣＥ及びｎＣＣＥ＋１を通じて総４個のＰＵＣＣＨリソースを導入することができる。
【０１５４】
または、図１１の１１３０のように、ＰＣｅｌｌで２ＣＷが送信される場合（ＭＩＭＯ送信モードの場合）、ＰＣｅｌｌの各々のダウンリンクサブフレームに対して空間バンドリングを適用し、２つのＨＡＲＱ−ＡＣＫビットをＰＵＣＣＨフォーマット１ｂに送信することができる。各ダウンリンクサブフレームでＰＤＣＣＨのｎＣＣＥを通じてＰＵＣＣＨリソースを導入することができる。
【０１５５】
Ｅｘｅｍｐｌａｒｙ  ＣａｓｅＤ−２：Ｍ＝０：１
図１２は、ＰＣｅｌｌはＭ＝１であり、ＳＣｅｌｌはＭ＝０の場合を図示する。このような場合、ＳＣｅｌｌ上の１つのダウンリンクサブフレーム上のＰＤＳＣＨ送信に対するＨＡＲＱ−ＡＣＫ送信のためにＰＵＣＣＨフォーマット１ａ／１ｂが利用できる。即ち、１２１０のようにＳＣｅｌｌで１ＣＷが送信される場合（Ａ＝１）、１ビットのＨＡＲＱ−ＡＣＫ送信のためにＰＵＣＣＨフォーマット１ａが利用されることができ、１２２０のように２ＣＷが送信される場合（Ａ＝２）、２ビットのＨＡＲＱ−ＡＣＫ送信のためにＰＵＣＣＨフォーマット１ｂが利用できる。
【０１５６】
セルフスケジューリング（ＳＣｅｌｌのＰＤＣＣＨを通じてＳＣｅｌｌのＰＤＳＣＨスケジューリング情報を送信）の場合、ＳＣｅｌｌのＰＤＣＣＨ（即ち、ＤＬ ＤＣＩフォーマット）内のＴＰＣフィールド（２ビット）を再活用するＡＲＩ（Acknowledgement Resource Indication）からＰＵＣＣＨリソースを得ることができる。
【０１５７】
クロスキャリアスケジューリングの場合、ＰＣｅｌｌのＰＤＣＣＨが割り当てられる最初のＣＣＥ（ｎＣＣＥ）からＰＵＣＣＨリソースを得ることができる。一方、該当ＳＣｅｌｌ上でのダウンリンクサブフレームにＰＤＳＣＨ送信をＰＣｅｌｌで制御できない場合、即ち、ＳＣｅｌｌがダウンリンクに設定されたサブフレームにＰＣｅｌｌはダウンリンクとして設定されていない場合には、ＨＡＲＱ−ＡＣＫを送信しないことがある。
【０１５８】
Ｅｘｅｍｐｌａｒｙ  ＣａｓｅＤ−４：Ｍ＝０：２
図１３は、ＰＣｅｌｌはＭ＝０であり、ＳＣｅｌｌはＭ＝２の場合を図示する。ＳＣｅｌｌで２つのダウンリンクサブフレーム上にＰＤＳＣＨ送信が発生できる。
【０１５９】
一例において、前述した＜表１２＞のＨＡＲＱ−ＡＣＫインデックスとサービングセルの送信ブロックとの関係とチャンネルセレクションマッピングテーブルを使用してチャンネルセレクション送信を実行することができる。＜表１２＞を用いてＴＢとサービングセルをＨＡＲＱ−ＡＣＫ（ｊ）インデックスに互いに関連させることができる。
【０１６０】
図１３の１３１０のように、ＳＣｅｌｌで１ＣＷが送信される場合（ＭＩＭＯ送信モードでない場合）、要求されるＰＵＣＣＨリソースの数（Ａ）は２であり、＜表１２＞のＡ＝２に該当する。
【０１６１】
図１３の１３２０のように、ＳＣｅｌｌで２ＣＷが送信される場合（ＭＩＭＯ送信モードの場合）、要求されるＰＵＣＣＨリソースの数（Ａ）は４であり、＜表１２＞のＡ＝４に該当する。
【０１６２】
または、図１３の１３３０のように、ＳＣｅｌｌで２ＣＷが送信される場合（ＭＩＭＯ送信モードの場合）、ＳＣｅｌｌの各々のダウンリンクサブフレームに対して空間バンドリングを適用し、２つのＨＡＲＱ−ＡＣＫビットをＰＵＣＣＨフォーマット１ｂに送信することができる。
【０１６３】
セルフスケジューリングの場合、ＰＵＣＣＨリソースは、次の通り導入できる。
【０１６４】
１）ＳＣｅｌｌで２ＣＷが送信される場合（Ａ＝４）、ＳＣｅｌｌでＰＤＣＣＨ内のＴＰＣフィールド（２ビット）を再活用するＡＲＩを通じて４個のリソースの割当を受けて、＜表１２＞のＡ＝４の場合とＨＡＲＱ−ＡＣＫインデックスのマッピング関係を用いて該当ＰＵＣＣＨリソースとＨＡＲＱ−ＡＣＫインデックスとの関係を導入することができる。この際、ＡＲＩは４個のＰＵＣＣＨリソースを指示することができる。
【０１６５】
２）ＳＣｅｌｌで１ＣＷが送信される場合、またはＳＣｅｌｌで２ＣＷが送信され、各ダウンリンクサブフレームに対して空間バンドリングが適用される場合、ＳＣｅｌｌでＰＤＣＣＨ内のＴＰＣフィールド（２ビット）を再活用するＡＲＩを通じて２つのリソースの割当を受けて、＜表１２＞のＡ＝２の場合とＨＡＲＱ−ＡＣＫインデックスのマッピング関係を用いて該当ＰＵＣＣＨリソースとＨＡＲＱ−ＡＣＫインデックスとの関係を導入することができる。この際、ＡＲＩは２つのＰＵＣＣＨリソースを指示することができる。
【０１６６】
クロスキャリアスケジューリングの場合、ＰＵＣＣＨリソースは次の通り導入できる。
【０１６７】
１）ＳＣｅｌｌで２ＣＷが送信される場合（Ａ＝４）、各ダウンリンクサブフレームでＰＣｅｌｌのＰＤＣＣＨ（ＤＡＩ＝１、２）のｎＣＣＥ及びｎＣＣＥ＋１を通じて総４個のＰＵＣＣＨリソースを導入することができる。
【０１６８】
２）ＳＣｅｌｌで１ＣＷが送信される場合、またはＳＣｅｌｌで２ＣＷが送信され、各ダウンリンクサブフレームに対して空間バンドリングが適用される場合、各ダウンリンクサブフレームでＰＣｅｌｌのＰＤＣＣＨ（ＤＡＩ＝１，２）のｎＣＣＥを通じて総２つのＰＵＣＣＨリソースを導入することができる。
【０１６９】
一方、該当ＳＣｅｌｌ上でのダウンリンクサブフレームにＰＤＳＣＨ送信をＰＣｅｌｌで制御できない場合、即ち、ＳＣｅｌｌがダウンリンクに設定されたサブフレームにＰＣｅｌｌはダウンリンクに設定されていない場合にはＨＡＲＱ−ＡＣＫを送信しないことがある。
【０１７０】
Ｅｘｅｍｐｌａｒｙ  ＣａｓｅＤ−４：Ｍ＝０：４
図１４は、ＰＣｅｌｌはＭ＝０であり、ＳＣｅｌｌはＭ＝４の場合を図示する。ＳＣｅｌｌで４個のダウンリンクサブフレーム上にＰＤＳＣＨ送信が発生できる。
【０１７１】
セルフスケジューリングの場合、ＰＵＣＣＨリソースは、次の通り導入できる。
【０１７２】
１）図１４の１４１０のように、最初にＳＣｅｌｌで２ＣＷが送信される場合（ＭＩＭＯ送信モードの場合）、空間バンドリングが適用されるか、または１ＣＷが送信される場合、空間バンドリングが適用されず、以下の＜表１３＞のように時間ドメインバンドリングが適用されて、２つのＨＡＲＱ−ＡＣＫビットを生成し、Ａ＝２を有するチャンネルセレクションマッピングテーブルを用いてチャンネルセレクション送信を実行することができる。この場合にＤＡＩ＝１、２に該当するダウンリンクサブフレーム上でセルフスケジューリングの場合にはＡＲＩを使用して指示することができる（ＤＡＩ＝１または２を送信するＰＤＣＣＨを介して同一なＡＲＩ値を送信することができる）。
【０１７３】
【表１３】
2015520991.tif 000036
【０１７４】
２）前述した１）のようにバンドリングされた２つのＨＡＲＱ−ＡＣＫビットをＰＵＣＣＨフォーマット１ｂに送信することができる。
【０１７５】
３）図１４の１４２０のように、ＳＣｅｌｌで２ＣＷが送信される場合（ＭＩＭＯ送信モードの場合）空間バンドリングが適用されるか、または１ＣＷが送信される場合、空間バンドリングが適用されず、時間ドメインバンドリングは適用されないので、４個のＨＡＲＱ−ＡＣＫビットを生成し、以下の＜表１４＞のＡ＝４に該当するＴＢとＨＡＲＱ−ＡＣＫインデックスのマッピング関係とＡ＝４のチャンネルセレクションマッピングテーブルを用いてチャンネルセレクション送信を実行することができる。この場合、ＤＡＩ＝１、２、３、４に該当するダウンリンクサブフレーム上でセルフスケジューリングの場合にはＡＲＩを使用して指示することができる（ＤＡＩ＝１、２、３、４を送信するＰＤＣＣＨを介して同一なＡＲＩ値を送信することができる）。
【０１７６】
【表１４】
2015520991.tif 000037
【０１７７】
クロスキャリアスケジューリングの場合、ＰＵＣＣＨリソースは、次の通り導入できる。
【０１７８】
１）図１４の１４１０のように、最初にＳＣｅｌｌで２ＣＷが送信される場合（ＭＩＭＯ送信モードの場合）、空間バンドリングが適用され、上記の＜表１３＞のように時間ドメインバンドリングが適用されて、２つのＨＡＲＱ−ＡＣＫビットを生成し、Ａ＝２のチャンネルセレクションマッピングテーブルを用いてチャンネルセレクション送信を実行することができる。この場合にＤＡＩ＝１、２に該当するダウンリンクサブフレーム上でクロスキャリアスケジューリングの場合にはＰＤＣＣＨが割り当てられたｎＣＣＥインデックスから得られたＰＵＣＣＨリソースを用いて指示することができる。該当ＳＣｅｌｌ上でのダウンリンクサブフレームにＰＤＳＣＨ送信をＰＣｅｌｌでスケジューリングできない状況ではＨＡＲＱ−ＡＣＫを送信しないことがある。
【０１７９】
２）前述した１）のようにバンドリングされた２つのＨＡＲＱ−ＡＣＫビットをＰＵＣＣＨフォーマット１ｂに送信することができる。
【０１８０】
３）図１４の１４２０のように、ＳＣｅｌｌで２ＣＷが送信される場合（ＭＩＭＯ送信モードの場合）、空間バンドリングが適用され、時間ドメインは適用されないので、４つのＨＡＲＱ−ＡＣＫビットを生成し、前述した＜表１４＞のＡ＝４に該当するＴＢとＨＡＲＱ−ＡＣＫインデックスのマッピング関係とＡ＝４のチャンネルセレクションマッピングテーブルを用いてチャンネルセレクション送信を実行することができる。この場合に、ＤＡＩ＝１、２、３、４に該当するダウンリンクサブフレーム上でクロスキャリアスケジューリングの場合にはＰＤＣＣＨが割り当てられたｎＣＣＥインデックスから得られたＰＵＣＣＨリソースを用いて指示することができる。該当ＳＣｅｌｌ上でのダウンリンクサブフレームにＰＤＳＣＨ送信をＰＣｅｌｌでスケジューリングできない状況ではＨＡＲＱ−ＡＣＫを送信しないことがある。
【０１８１】
前述した例は、ＰＣｅｌｌはＭ＝０であり、ＳＣｅｌｌはＭ＝４の場合に対して開示したが、ＳＣｅｌｌのＭ値は２より大きい値でありうる。例えば、Ｍ＝３の場合、次の＜表１５＞を用いた時間ドメインバンドリングを用いて２つのＨＡＲＱ−ＡＣＫビットを構成するか、または時間ドメインバンドリング無しで３個のＨＡＲＱ−ＡＣＫビットを構成することが可能である。
【０１８２】
【表１５】
2015520991.tif 000038
【０１８３】
また、前述した例はＰＣｅｌｌでＭ＝０の場合を例示したが、ＳＣｅｌｌでＭ＝０の場合も適用可能である。
【０１８４】
以上、構成された２セルでチャンネルセレクション送信を具現するに当たって、２セルのＴＤＤ設定が相異する場合、これを制御するための細部的な実施形態を説明した。
【０１８５】
図１５は、本発明の一実施形態による基地局とユーザ端末との間のシグナリングを示す図である。ｅＮＢ １５１０はＵＥ １５２０のＲＲＣ設定（ＲＲＣ Configuration、Ｓ１５５０）を実行する。この過程で２つのＣＣを構成し、チャンネルセレクションを実行し、各々のＣＣに対して相異するＴＤＤ設定を構成する。ＵＥ １５２０は、ステップＳ１５５０で設定されたように、ＴＤＤ設定に従ってＰＣｅｌｌとＳＣｅｌｌのためのＰＤＳＣＨ ＨＡＲＱタイミングを決定する（Ｓ１５６０）。そして、ＰＣｅｌｌとＳＣｅｌｌのＨＡＲＱタイミングが相異する場合、即ち先の＜表５＞で説明したように、Ｃａｓｅ−Ａ、Ｃａｓｅ−Ｂ、Ｃａｓｅ−Ｃ、Ｃａｓｅ−Ｄのように２セルのＨＡＲＱタイミングが相異する場合には、先の図５乃至図１４及び＜表６＞乃至＜表１５＞で説明した方式を適用してＨＡＲＱ−ＡＣＫインデックスと関連した送信ブロック（ＴＢ）またはサブフレームを決定する（Ｓ１５７０）。即ち、どの送信ブロックまたはどのサブフレームがどのＨＡＲＱ−ＡＣＫインデックスにマッピングされるかを決定する。そして、ＨＡＲＱ−ＡＣＫを割り当てるＰＵＣＣＨリソースを導入する（Ｓ１５８０）。ＰＵＣＣＨリソースの導入は、前述したように、ＰＣｅｌｌのダウンリンクサブフレームからリソースを得る方式である内在的リソース割当方式を利用するか、または上位階層シグナリング（上位階層設定）またはＤＬ ＤＣＩ内にあるＴＰＣフィールドのように明示的に提供される情報を用いる明示的リソース割当方式を用いることができる。ＨＡＲＱ−ＡＣＫマッピングとＰＵＣＣＨリソース導入方式は、全てｅＮＢ １５１０とＵＥ １５２０が予め決定した方式に従う。
【０１８６】
ＰＵＣＣＨリソースが導入されれば、導入されたＰＵＣＣＨリソースに該当ＨＡＲＱ−ＡＣＫを含めてチャンネルセレクションに従うＰＵＣＣＨ送信を実行する（Ｓ１５９０）。ｅＮＢ １５１０は、ＴＢ／サブフレームに対するＨＡＲＱ−ＡＣＫを復号する（Ｓ１５９５）。
【０１８７】
図１６は、本発明の一実施形態によるＵＥで動作される過程を示す図である。図１５でのＵＥ動作をより詳細に構成したものである。
【０１８８】
ＵＥは基地局からＲＲＣ設定ステップを進行し、相異するＴＤＤ設定とチャンネルセレクションが２つのＣＣ上で設定される（Ｓ１６１０）。そして、ＰＣｅｌｌのＵＬサブフレーム上にＰＣｅｌｌとＳＣｅｌｌに対する互いに異なるＭ値を有するかを確認する（Ｓ１６２０）。これは、先の＜表５＞で説明したように、Ｃａｓｅ−Ａ、Ｃａｓｅ−Ｂ、Ｃａｓｅ−Ｃ、Ｃａｓｅ−Ｄに該当することを意味する。仮に、同一なＭ値を有すれば、従来のＲｅｌ−１０方式を適用することができる（Ｓ１６９０）。
【０１８９】
一方、互いに異なるＭ値を有すれば、ＰＣｅｌｌのＵＬサブフレームに関連したＭ値を判断する（Ｓ１６３０）。これは、先のＣａｓｅ−Ａ、Ｃａｓｅ−Ｂ、Ｃａｓｅ−Ｃ、Ｃａｓｅ−Ｄに従って、異にチャンネルセレクションを実行するためである。そして、Ｍ値の個数に従う新たなＴＢ／サブフレームとＨＡＲＱ−ＡＣＫ（ｊ）マッピング関係及び新たなバンドリング規則を適用する（Ｓ１６４０）。図５乃至１４及び＜表６＞乃至＜表１３＞で説明した実施形態を各Ｍ値の個数によって適用することができる。そして、新たなマッピング関係に従うＰＵＣＣＨリソース導入方法を適用し（Ｓ１６５０）、導入されたＰＵＣＣＨリソースを通じてＰＣｅｌｌのアップリンクサブフレーム上でＰＵＣＣＨ送信を、チャンネルセレクション送信方法を通じて実行する（Ｓ１６６０）。
【０１９０】
図１７は、本発明の一実施形態による基地局で動作される過程を示す図である。
【０１９１】
図１２で説明した基地局の動作過程をより詳細に説明すると、次の通りである。
【０１９２】
基地局は互いに相異するＴＤＤ設定の２つ以上のバンドを制御するようになる。また、インターバンドＴＤＤ送信方式でチャンネルセレクション送信のためのＨＡＲＱ−ＡＣＫインデックスマッピング及びアップリンクリソース割当を制御する。
【０１９３】
基地局は、第１サービングセルと第２サービングセルのＴＤＤ設定情報をユーザ端末に送信する（Ｓ１７１０）。そして、基地局は上記ユーザ端末に第１サービングセル及び第２サービングセルのダウンリンクサブフレームでデータを送信する（Ｓ１７２０）。
【０１９４】
以後、上記ユーザ端末から上記第１サービングセル及び上記第２サービングセルから送信されたデータの応答情報が含まれたデータをアップリンクサブフレームでチャンネルセレクション送信によるＰＵＣＣＨを受信する（Ｓ１７３０）。基地局は、上記受信したＰＵＣＣＨにマッピングルール及びリソース割当ルールを適用して上記第１サービングセルのダウンリンクサブフレームで送信されたデータに対する応答情報（Ack／Nack state）及び上記第２サービングセルのダウンリンクサブフレームで送信されたデータに対する応答情報がマッピングされたＨＡＲＱ−ＡＣＫインデックスから上記応答情報を復号するようになる（Ｓ１７４０）。
【０１９５】
ここで、上記マッピングルールは上記ＰＵＣＣＨが送信されるアップリンクサブフレームに関連付けられたダウンリンクサブフレームの数が上記第１サービングセル及び上記第２サービングセルにおいて相異する場合、上記第１サービングセル及び上記第２サービングセルの上記関連付けられたダウンリンクサブフレームの数によって決定されることを意味し、先の図５乃至図１４で説明した実施形態でのマッピングルールを含む。上記関連付けられたダウンリンクサブフレームの数は前述したＭを意味する。
【０１９６】
より詳しくは、図５及び図７のように、上記第１サービングセルの上記関連付けられたダウンリンクサブフレームの数が２、３、４のうちのいずれか１つであり、上記第２サービングセルの上記関連付けられたダウンリンクサブフレームの数が１の場合、上記マッピングルールは上記第１サービングセルからダウンリンクされたデータに対する応答情報に２つ乃至３個のＨＡＲＱ−ＡＣＫをマッピングさせ、上記第２サービングセルからダウンリンクされたデータに対する応答情報に１つのＨＡＲＱ−ＡＣＫをマッピングさせることができる。
【０１９７】
また、空間バンドリングと関連して、上記第１セルまたは第２セルの上記ダウンリンクされたデータが２ＣＷの場合、上記第１セルまたは上記第２セルの応答情報は空間バンドリングを実行して生成される。
【０１９８】
図６のように、２ＣＷで２つのＨＡＲＱ−ＡＣＫリソースを割り当てることができる。即ち、上記第１セルの上記関連付けられたダウンリンクサブフレームの数が２、３、４のうちのいずれか１つであり、上記第２セルの上記関連付けられたダウンリンクサブフレームの数が１であり、上記第２セルの上記ダウンリンクされたデータが２ＣＷの場合、上記マッピングルールは２つのＨＡＲＱ−ＡＣＫに上記第１セルからダウンリンクされたデータに対する応答情報をマッピングさせ、２つのＨＡＲＱ−ＡＣＫに上記第２セルからダウンリンクされたデータに対する応答情報をマッピングさせることができる。
【０１９９】
図８及び図９で説明した時間領域バンドリングについて説明すると、上記第１セルの上記関連付けられたダウンリンクサブフレームの数が３または４であり、上記第２セルの上記関連付けられたダウンリンクサブフレームの数が１、２、３のうちのいずれか１つである場合、上記マッピングルールは２つのＨＡＲＱ−ＡＣＫに上記第１セルからダウンリンクされたデータに時間領域バンドリングを実行して生成された応答情報をマッピングさせ、１つまたは２つのＨＡＲＱ−ＡＣＫに上記第２セルからダウンリンクされたデータに対する応答情報をマッピングさせることができる。
【０２００】
また、図９で説明した仮想時間領域バンドリングを適用することができる。即ち、上記第１セルの上記関連付けられたダウンリンクサブフレームの数が３または４であり、上記第２セルの上記関連付けられたダウンリンクサブフレームの数が上記第１セルの上記関連付けられたダウンリンクサブフレームの数より小さい場合、上記第２セルからダウンリンクされたデータの応答情報は上記基地局と予め調整された仮想のダウンリンクサブフレームと上記第２セルからダウンリンクされたデータにタイムバンドリングを実行して生成されて２つのＨＡＲＱ−ＡＣＫにマッピングできる。
【０２０１】
図１０及び図１２のように、第１セルの関連付けられたダウンリンクサブフレームの数が１であり、第２セルの関連付けられたダウンリンクサブフレームがない場合、上記マッピングルールは第１セルからダウンリンクされたデータに対する応答情報に１つまたは２つのＨＡＲＱ−ＡＣＫをマッピングさせ、第２セルに対してはマッピング関係がないことがある。
【０２０２】
図１１及び図１３のように、第１セルの関連付けられたダウンリンクサブフレームの数が２であり、第２セルの関連付けられたダウンリンクサブフレームがない場合、上記マッピングルールは第１セルからダウンリンクされたデータに対する応答情報に２つまたは４個のＨＡＲＱ−ＡＣＫをマッピングさせ、第２セルに対してはマッピング関係がないことがある。
【０２０３】
図１４のように、第１セルの関連付けられたダウンリンクサブフレームの数が２より大きく、第２セルの関連付けられたダウンリンクサブフレームがない場合、上記マッピングルールは第１セルからダウンリンクされたデータに対する応答情報に２つまたは４個のＨＡＲＱ−ＡＣＫをマッピングさせ、第２セルに対してはマッピング関係がないことがある。
【０２０４】
一方、３個または４個のＨＡＲＱ−ＡＣＫを含むＰＵＣＣＨリソースを割り当てるための上記リソース割当ルールは、内在的リソース割当方式と明示的リソース割当方式を使用することができる。上記第１セルまたは第２セルのうち、ＰＣｅｌｌの上記ダウンリンクサブフレームでＰＤＣＣＨ受信時、抽出される情報を用いた内在的リソース割当方式により２つ以上のＰＵＣＣＨのリソースを算出し、上記ユーザ端末に上記基地局が上位階層の設定（higher layer configuration）あるいは上記第１セルまたは第２セルのうち、ＳＣｅｌｌのＤＬ ＤＣＩ内にあるＴＰＣ値を提供して明示的リソース割当方式により１つ以上のＰＵＣＣＨのリソースが算出できる。
【０２０５】
先の第１セル及び第２セルは各々ＰＣｅｌｌ、ＳＣｅｌｌになることもでき、反対に、第１セル及び第２セルがＳＣｅｌｌ、ＰＣｅｌｌになることもできる。図５乃至図９及び＜表６＞乃至＜表１１＞の実施形態のＨＡＲＱ−ＡＣＫ（ｊ）のインデックスマッピングは本発明の一実施形態であり、本発明はインデックスマッピング及びＰＵＣＣＨリソースを割り当てるに当たって、基地局と端末の設定によって多様に具現できる。
【０２０６】
図１８は、本発明の一実施形態によるユーザ端末での動作過程を示す図である。
【０２０７】
ユーザ端末は互いに相異するＴＤＤ設定の２つ以上のバンドを制御する基地局に接続した状態である。ユーザ端末は、インターバンドＴＤＤ送信方式でチャンネルセレクション送信のためのＨＡＲＱ−ＡＣＫインデックスマッピング及びアップリンクリソース割当を実行する。
【０２０８】
ユーザ端末は、第１サービングセルと第２サービングセルのＴＤＤ設定情報を上記基地局から受信する（Ｓ１８１０）。そして、上記基地局から第１サービングセル及び第２サービングセルのダウンリンクサブフレームでダウンリンクされるデータを受信する（Ｓ１８２０）。
【０２０９】
ユーザ端末は、上記第１サービングセルのダウンリンクサブフレームで受信されたデータに対する応答情報（Ack／Nack state）及び上記第２サービングセルのダウンリンクサブフレームで受信されたデータに対する応答情報を３個または４個のＨＡＲＱ−ＡＣＫインデックスにマッピングする（Ｓ１８３０）。この過程は先の図５乃至図１４で説明した。
【０２１０】
そして、上記マッピングされたＨＡＲＱ−ＡＣＫが含まれるＰＵＣＣＨ（Physical Uplink Control CHannel）のリソースを算出し（Ｓ１８４０）、上記算出されたＰＵＣＣＨリソースに上記３個または４個のＨＡＲＱ−ＡＣＫを含めて上記基地局にチャンネルセレクション送信を通じてのＰＵＣＣＨを送信する（Ｓ１８５０）。
【０２１１】
ここで、上記ＰＵＣＣＨが送信されるアップリンクサブフレームに関連付けられたダウンリンクサブフレームの数が上記第１サービングセル及び上記第２サービングセルにおいて相異し、上記ダウンリンクされたデータに対する応答情報と上記ＨＡＲＱ−ＡＣＫインデックスのマッピングは、上記第１サービングセル及び上記第２サービングセルの上記関連付けられたダウンリンクサブフレームの数によって決定される。
【０２１２】
より詳しくは、図５及び図７のように、上記第１セルの上記関連付けられたダウンリンクサブフレームの数が２、３、４のうちのいずれか１つであり、上記第２セルの上記関連付けられたダウンリンクサブフレームの数が１の場合、上記第１セルからダウンリンクされたデータに対する応答情報に２つ乃至３個のＨＡＲＱ−ＡＣＫをマッピングさせ、上記第２セルからダウンリンクされたデータに対する応答情報に１つのＨＡＲＱ−ＡＣＫをマッピングさせる。
【０２１３】
また、空間バンドリングと関連して、上記第１セルまたは第２セルの上記ダウンリンクされたデータが２ＣＷの場合、空間バンドリングを実行して応答情報を生成する。
【０２１４】
図６のように、２ＣＷで２つのＨＡＲＱ−ＡＣＫリソースを割り当てることができる。上記第１セルの上記関連付けられたダウンリンクサブフレームの数が２、３、４のうちのいずれか１つであり、上記第２セルの上記関連付けられたダウンリンクサブフレームの数が１であり、上記第２セルの上記ダウンリンクされたデータが２ＣＷの場合、上記第１セルからダウンリンクされたデータに対する応答情報に２つのＨＡＲＱ−ＡＣＫをマッピングさせ、上記第２セルからダウンリンクされたデータに対する応答情報に２つのＨＡＲＱ−ＡＣＫをマッピングさせる。
【０２１５】
図８及び図９で説明した時間領域バンドリングについて説明すると、上記第１セルの上記関連付けられたダウンリンクサブフレームの数が３または４であり、上記第２セルの上記関連付けられたダウンリンクサブフレームの数が１、２、３のうちのいずれか１つの場合、上記第１セルからダウンリンクされたデータに時間領域バンドリングを実行して生成された応答情報に２つのＨＡＲＱ−ＡＣＫをマッピングさせ、上記第２セルからダウンリンクされたデータに対する応答情報に１つまたは２つのＨＡＲＱ−ＡＣＫをマッピングさせる。
【０２１６】
また、図９で説明した仮想時間領域バンドリングを適用することができる。上記第１セルの上記関連付けられたダウンリンクサブフレームの数が３または４であり、上記第２セルの上記関連付けられたダウンリンクサブフレームの数が上記第１セルの上記関連付けられたダウンリンクサブフレームの数より小さい場合、上記基地局と予め調整された仮想のダウンリンクサブフレームと上記第２セルからダウンリンクされたデータに時間領域バンドリングを実行して生成された応答情報に２つのＨＡＲＱ−ＡＣＫをマッピングさせる。
【０２１７】
図１０及び図１２のように、第１セルの関連付けられたダウンリンクサブフレームの数が１であり、第２セルの関連付けられたダウンリンクサブフレームがない場合、上記マッピングルールは第１セルからダウンリンクされたデータに対する応答情報に１つまたは２つのＨＡＲＱ−ＡＣＫをマッピングさせ、第２セルに対してはマッピング関係がないことがある。
【０２１８】
図１１及び図１３のように、第１セルの関連付けられたダウンリンクサブフレームの数が２であり、第２セルの関連付けられたダウンリンクサブフレームがない場合、上記マッピングルールは第１セルからダウンリンクされたデータに対する応答情報に２つまたは４個のＨＡＲＱ−ＡＣＫをマッピングさせ、第２セルに対してはマッピング関係がないことがある。
【０２１９】
図１４のように、第１セルの関連付けられたダウンリンクサブフレームの数が２より大きく、第２セルの関連付けられたダウンリンクサブフレームがない場合、上記マッピングルールは第１セルからダウンリンクされたデータに対する応答情報に２つまたは４個のＨＡＲＱ−ＡＣＫをマッピングさせ、第２セルに対してはマッピング関係がないことがある。
【０２２０】
一方、３個または４個のＨＡＲＱ−ＡＣＫを含むＰＵＣＣＨリソースを割り当てるために、内在的リソース割当方式と明示的リソース割当方式を使用することができる。上記マッピングされたＨＡＲＱ−ＡＣＫが含まれるＰＵＣＣＨのリソースを算出するために、上記第１セルまたは第２セルのうち、ＰＣｅｌｌの上記ダウンリンクサブフレームでＰＤＣＣＨ受信時、抽出される情報を用いた内在的リソース割当方式により２つ以上のＰＵＣＣＨのリソースを算出し、上記基地局から上位階層の設定（higher layer configuration）あるいは上記第１セルまたは第２セルのうち、ＳＣｅｌｌのＤＬ ＤＣＩ内にあるＴＰＣ値を用いて明示的リソース割当方式により１つ以上のＰＵＣＣＨのリソースを算出する。
【０２２１】
先の第１セル及び第２セルは各々ＰＣｅｌｌ、ＳＣｅｌｌになることもでき、反対に、第１セル及び第２セルがＳＣｅｌｌ、ＰＣｅｌｌになることもできる。
【０２２２】
図５乃至図１４及び＜表６＞乃至＜表１４＞の実施形態のＨＡＲＱ−ＡＣＫ（ｊ）のインデックスマッピングは本発明の一実施形態であり、本発明はインデックスマッピング及びＰＵＣＣＨリソースを割り当てるに当たって、基地局と端末の設定によって多様に具現できる。
【０２２３】
図１９は、本発明の一実施形態による基地局の構成を示す図である。
【０２２４】
基地局１９００は互いに相異するＴＤＤ設定の２つ以上のバンドを制御するようになる。また、インターバンドＴＤＤ送信方式でチャンネルセレクション送信のためのＨＡＲＱ−ＡＣＫインデックスマッピング及びアップリンクリソース割当を制御する。
【０２２５】
基地局１９００は、送信部１９１０、制御部１９２０、及び受信部１９３０から構成されている。
【０２２６】
送信部１９１０は、第１サービングセルと第２サービングセルのＴＤＤ設定情報をユーザ端末に送信し、上記ユーザ端末に第１サービングセル及び第２サービングセルのダウンリンクサブフレームでデータを送信する。受信部１４３０は、上記ユーザ端末から上記第１サービングセル及び上記第２サービングセルから送信されたデータの応答情報が含まれたデータをアップリンクサブフレームでチャンネルセレクション送信によるＰＵＣＣＨを受信する。
【０２２７】
制御部１９２０は、上記受信したＰＵＣＣＨにマッピングルール及びリソース割当ルールを適用して上記第１サービングセルのダウンリンクサブフレームで送信されたデータに対する応答情報（Ack／Nack state）及び上記第２サービングセルのダウンリンクサブフレームで送信されたデータに対する応答情報がマッピングされた３個または４個のＨＡＲＱ−ＡＣＫインデックスから上記応答情報を復号する。
【０２２８】
ここで、上記マッピングルールは上記ＰＵＣＣＨが送信されるアップリンクサブフレームに関連付けられたダウンリンクサブフレームの数が上記第１サービングセル及び上記第２サービングセルにおいて相異する場合、上記第１サービングセル及び上記第２サービングセルの上記関連付けられたダウンリンクサブフレームの数によって決定されることを意味し、先の図５乃至図９で説明した実施形態でのマッピングルールを含む。
【０２２９】
より詳しくは、図５及び図７のように、上記第１セルの上記関連付けられたダウンリンクサブフレームの数が２、３、４のうちのいずれか１つであり、上記第２セルの上記関連付けられたダウンリンクサブフレームの数が１の場合、上記マッピングルールは上記第１セルからダウンリンクされたデータに対する応答情報に２つ乃至３個のＨＡＲＱ−ＡＣＫをマッピングさせ、上記第２セルからダウンリンクされたデータに対する応答情報に１つのＨＡＲＱ−ＡＣＫをマッピングさせることができる。
【０２３０】
また、空間バンドリングと関連して、上記第１セルまたは第２セルの上記ダウンリンクされたデータが２ＣＷの場合、上記第１セルまたは上記第２セルの応答情報は空間バンドリングを実行して生成される。
【０２３１】
図６のように、２ＣＷで２つのＨＡＲＱ−ＡＣＫリソースを割り当てることができる。即ち、上記第１セルの上記関連付けられたダウンリンクサブフレームの数が２、３、４のうちのいずれか１つであり、上記第２セルの上記関連付けられたダウンリンクサブフレームの数が１であり、上記第２セルの上記ダウンリンクされたデータが２ＣＷの場合、上記マッピングルールは２つのＨＡＲＱ−ＡＣＫに上記第１セルからダウンリンクされたデータに対する応答情報をマッピングさせ、２つのＨＡＲＱ−ＡＣＫに上記第２セルからダウンリンクされたデータに対する応答情報がマッピングさせることができる。
【０２３２】
図８及び図９で説明した時間領域バンドリングについて説明すると、上記第１セルの上記関連付けられたダウンリンクサブフレームの数が３または４であり、上記第２セルの上記関連付けられたダウンリンクサブフレームの数が１、２、３のうちのいずれか１つの場合、上記マッピングルールは２つのＨＡＲＱ−ＡＣＫに上記第１セルからダウンリンクされたデータに時間領域バンドリングを実行して生成された応答情報をマッピングさせ、１つまたは２つのＨＡＲＱ−ＡＣＫに上記第２セルからダウンリンクされたデータに対する応答情報をマッピングさせることができる。
【０２３３】
また、図９で説明した仮想時間領域バンドリングを適用することができる。即ち、上記第１セルの上記関連付けられたダウンリンクサブフレームの数が３または４であり、上記第２セルの上記関連付けられたダウンリンクサブフレームの数が上記第１セルの上記関連付けられたダウンリンクサブフレームの数より小さい場合、上記第２セルからダウンリンクされたデータの応答情報は、上記基地局と予め調整された仮想のダウンリンクサブフレームと上記第２セルからダウンリンクされたデータにタイムバンドリングを実行して生成されて２つのＨＡＲＱ−ＡＣＫにマッピングできる。
【０２３４】
図１０及び図１２のように、第１セルの関連付けられたダウンリンクサブフレームの数が１であり、第２セルの関連付けられたダウンリンクサブフレームがない場合、上記マッピングルールは第１セルからダウンリンクされたデータに対する応答情報に１つまたは２つのＨＡＲＱ−ＡＣＫをマッピングさせ、第２セルに対してはマッピング関係がないことがある。
【０２３５】
図１１及び図１３のように、第１セルの関連付けられたダウンリンクサブフレームの数が２であり、第２セルの関連付けられたダウンリンクサブフレームがない場合、上記マッピングルールは第１セルからダウンリンクされたデータに対する応答情報に２つまたは４個のＨＡＲＱ−ＡＣＫをマッピングさせ、第２セルに対してはマッピング関係がないことがある。
【０２３６】
図１４のように、第１セルの関連付けられたダウンリンクサブフレームの数が２より大きく、第２セルの関連付けられたダウンリンクサブフレームがない場合、上記マッピングルールは第１セルからダウンリンクされたデータに対する応答情報に２つまたは４個のＨＡＲＱ−ＡＣＫをマッピングさせ、第２セルに対してはマッピング関係がないことがある。
【０２３７】
一方、３個または４個のＨＡＲＱ−ＡＣＫを含むＰＵＣＣＨリソースを割り当てるための上記リソース割当ルールは、内在的リソース割当方式と明示的リソース割当方式を使用することができる。上記第１セルまたは第２セルのうち、ＰＣｅｌｌの上記ダウンリンクサブフレームでＰＤＣＣＨ受信時、抽出される情報を用いた内在的リソース割当方式により２つ以上のＰＵＣＣＨのリソースを算出し、上記ユーザ端末に上記基地局が上位階層の設定（higher layer configuration）あるいは上記第１セルまたは第２セルのうち、ＳＣｅｌｌのＤＬ ＤＣＩ内にあるＴＰＣ値を提供して明示的リソース割当方式により１つ以上のＰＵＣＣＨのリソースが算出できる。
【０２３８】
先の第１セル及び第２セルは各々ＰＣｅｌｌ、ＳＣｅｌｌになることもでき、反対に、第１セル及び第２セルがＳＣｅｌｌ、ＰＣｅｌｌになることもできる。
【０２３９】
図５乃至図１４及び＜表６＞乃至＜表１４＞の実施形態のＨＡＲＱ−ＡＣＫ（ｊ）のインデックスマッピングは本発明の一実施形態であり、本発明はインデックスマッピング及びＰＵＣＣＨリソースを割り当てるに当たって基地局と端末の設定によって多様に具現できる。
【０２４０】
図２０は、本明細書の一実施形態によるユーザ端末の構成を示す図である。
【０２４１】
ユーザ端末２０００は、互いに相異するＴＤＤ設定の２つ以上のバンドを制御する基地局に接続した状態である。ユーザ端末は、インターバンドＴＤＤ送信方式でチャンネルセレクション送信のためのＨＡＲＱ−ＡＣＫインデックスマッピング及びアップリンクリソース割当を実行する。
【０２４２】
ユーザ端末２０００は、送信部２０１０、制御部２０２０、及び受信部２０３０から構成されている。
【０２４３】
受信部２０３０は、第１サービングセルと第２サービングセルのＴＤＤ設定情報を上記基地局から受信し、上記基地局から第１サービングセル及び第２サービングセルのダウンリンクサブフレームからダウンリンクされるデータを受信する。
【０２４４】
制御部２０２０は、上記第１サービングセルのダウンリンクサブフレームで受信されたデータに対する応答情報（Ack／Nack state）及び上記第２サービングセルのダウンリンクサブフレームで受信されたデータに対する応答情報を３個または４個のＨＡＲＱ−ＡＣＫインデックスにマッピングし、上記マッピングされたＨＡＲＱ−ＡＣＫが含まれるＰＵＣＣＨ（Physical Uplink Control CHannel）のリソースを算出して、上記算出されたＰＵＣＣＨリソースに上記３個または４個のＨＡＲＱ−ＡＣＫを含める。
【０２４５】
そして、上記送信部２０１０は上記基地局にチャンネルセレクション送信を通じてＰＵＣＣＨを送信する。
【０２４６】
ここで、上記ＰＵＣＣＨが送信されるアップリンクサブフレームに関連付けられたダウンリンクサブフレームの数が上記第１サービングセル及び上記第２サービングセルにおいて相異し、上記ダウンリンクされたデータに対する応答情報と上記ＨＡＲＱ−ＡＣＫインデックスのマッピングは上記第１サービングセル及び上記第２サービングセルの上記関連付けられたダウンリンクサブフレームの数によって決定される。
【０２４７】
より詳しくは、図５及び図７のように、上記第１セルの上記関連付けられたダウンリンクサブフレームの数が２、３、４のうちのいずれか１つであり、上記第２セルの上記関連付けられたダウンリンクサブフレームの数が１の場合、上記第１セルからダウンリンクされたデータに対する応答情報に２つ乃至３個のＨＡＲＱ−ＡＣＫをマッピングさせ、上記第２セルからダウンリンクされたデータに対する応答情報に１つのＨＡＲＱ−ＡＣＫをマッピングさせる。
【０２４８】
また、空間バンドリングと関連して、上記第１セルまたは第２セルの上記ダウンリンクされたデータが２ＣＷの場合、空間バンドリングを実行して応答情報を生成する。
【０２４９】
図６のように、２ＣＷで２つのＨＡＲＱ−ＡＣＫリソースを割り当てることができる。上記第１セルの上記関連付けられたダウンリンクサブフレームの数が２、３、４のうちのいずれか１つであり、上記第２セルの上記関連付けられたダウンリンクサブフレームの数が１であり、上記第２セルの上記ダウンリンクされたデータが２ＣＷの場合、上記第１セルからダウンリンクされたデータに対する応答情報に２つのＨＡＲＱ−ＡＣＫをマッピングさせ、上記第２セルからダウンリンクされたデータに対する応答情報に２つのＨＡＲＱ−ＡＣＫをマッピングさせる。
【０２５０】
図８及び図９で説明した時間領域バンドリングについて説明すると、上記第１セルの上記関連付けられたダウンリンクサブフレームの数が３または４であり、上記第２セルの上記関連付けられたダウンリンクサブフレームの数が１、２、３のうちのいずれか１つの場合、上記第１セルからダウンリンクされたデータに時間領域バンドリングを実行して生成された応答情報に２つのＨＡＲＱ−ＡＣＫをマッピングさせ、上記第２セルからダウンリンクされたデータに対する応答情報に１つまたは２つのＨＡＲＱ−ＡＣＫをマッピングさせる。
【０２５１】
また、図９で説明した仮想時間領域バンドリングを適用することができる。上記第１セルの上記関連付けられたダウンリンクサブフレームの数が３または４であり、上記第２セルの上記関連付けられたダウンリンクサブフレームの数が上記第１セルの上記関連付けられたダウンリンクサブフレームの数より小さい場合、上記基地局と予め調整された仮想のダウンリンクサブフレームと上記第２セルからダウンリンクされたデータに時間領域バンドリングを実行して生成された応答情報に２つのＨＡＲＱ−ＡＣＫをマッピングさせる。
【０２５２】
図１０及び図１２のように、第１セルの関連付けられたダウンリンクサブフレームの数が１であり、第２セルの関連付けられたダウンリンクサブフレームがない場合、上記マッピングルールは第１セルからダウンリンクされたデータに対する応答情報に１つまたは２つのＨＡＲＱ−ＡＣＫをマッピングさせ、第２セルに対してはマッピング関係がないことがある。
【０２５３】
図１１及び図１３のように、第１セルの関連付けられたダウンリンクサブフレームの数が２であり、第２セルの関連付けられたダウンリンクサブフレームがない場合、上記マッピングルールは第１セルからダウンリンクされたデータに対する応答情報に２つまたは４個のＨＡＲＱ−ＡＣＫをマッピングさせ、第２セルに対してはマッピング関係がないことがある。
【０２５４】
図１４のように、第１セルの関連付けられたダウンリンクサブフレームの数が２より大きく、第２セルの関連付けられたダウンリンクサブフレームがない場合、上記マッピングルールは第１セルからダウンリンクされたデータに対する応答情報に２つまたは４個のＨＡＲＱ−ＡＣＫをマッピングさせ、第２セルに対してはマッピング関係がないことがある。
【０２５５】
一方、３個または４個のＨＡＲＱ−ＡＣＫを含むＰＵＣＣＨリソースを割り当てるために、内在的リソース割当方式と明示的リソース割当方式を使用することができる。上記マッピングされたＨＡＲＱ−ＡＣＫが含まれるＰＵＣＣＨのリソースを算出するために、上記第１セルまたは第２セルのうち、ＰＣｅｌｌの上記ダウンリンクサブフレームでＰＤＣＣＨ受信時に抽出される情報を用いた内在的リソース割当方式により２つ以上のＰＵＣＣＨのリソースを算出し、上記基地局から上位階層の設定（higher layer configuration）あるいは上記第１セルまたは第２セルのうち、ＳＣｅｌｌのＤＬ ＤＣＩ内にあるＴＰＣ値を用いて明示的リソース割当方式により１つ以上のＰＵＣＣＨのリソースを算出する。
【０２５６】
先の第１セル及び第２セルは各々ＰＣｅｌｌ、ＳＣｅｌｌになることもでき、反対に、第１セル及び第２セルがＳＣｅｌｌ、ＰＣｅｌｌになることもできる。
【０２５７】
図５乃至図１４及び＜表６＞乃至＜表１４＞の実施形態のＨＡＲＱ−ＡＣＫ（ｊ）のインデックスマッピングは本発明の一実施形態であり、本発明はインデックスマッピング及びＰＵＣＣＨリソースを割り当てるに当たって、基地局と端末の設定によって多様に具現できる。
【０２５８】
本実施形態で提案した方法を適用する場合、ＬＴＥ Ｒｅｌ−１１インターバンドＡ ＴＤＤシステムにおいて、互いに異なるＰＤＳＣＨＨＡＲＱタイミングから引き起こされるＰＵＣＣＨ送信方法問題を解決して送信効率を向上させることができる。
【０２５９】
従来にＣＡ可能な全てのＵＥが全て同一なＴＤＤ ＵＬ−ＤＬ設定がなされたこととは異なり、本明細書ではキャリアアグリゲーションされたＣＣが互いに異なるバンド上でアグリゲーションされた場合に、互いに異なるＴＤＤ ＵＬ−ＤＬ設定が可能な状態でＰＣｅｌｌとＳＣｅｌｌとが互いに異なるＰＤＳＣＨＨＡＲＱタイミングを有する場合、ＰＵＣＣＨ Ａ／Ｎ送信が可能にする。
【０２６０】
本明細書で提示する方法を通じて互いに異なるＴＤＤ設定がなされたインターバンド状況で、より安定的で、向上したチャンネルセレクション送信方法をサポートすることができる。
【０２６１】
以上の説明は本発明の技術思想を例示的に説明したことに過ぎないものであって、本発明が属する技術分野で通常の知識を有する者であれば、本発明の本質的な特性から逸脱しない範囲で多様な修正及び変形が可能である。したがって、本発明に開示された実施形態は本発明の技術思想を限定するためのものでなく、説明するためのものであり、このような実施形態により本発明の技術思想の範囲が限定されるものではない。本発明の保護範囲は以下の請求範囲により解釈されなければならず、それと同等な範囲内にある全ての技術思想は本発明の権利範囲に含まれることと解釈されなければならない。
【０２６２】
例示的な実施形態を示して説明してきたが、添付の特許請求の範囲及びその均等物によって定義される本開示の思想および範囲から逸脱することなく、形態および詳細における様々な変更がなされ得ることは、当業者によって理解されるであろう。したがって、その変更が、添付の特許請求の範囲およびその等価物の範囲内である限り、それらは、本発明自体の範囲から逸脱するものと誤解されるべきではない。
【０２６３】
CROSS-REFERENCE TO RELATED APPLICATION
【０２６４】
本特許出願は、２０１２年５月９日付で韓国に出願した特許出願番号第１０−２０１２−００４９０４１号および２０１２年８月１日付で韓国に出願した特許出願番号第１０−２０１２−００８４４５９号に対し、米国特許法１１９（ａ）条（３５Ｕ．Ｓ．Ｃ§１１９（ａ））により優先権を主張し、その全ての内容は参考文献として本特許出願に併合される。
【図１】
2015520991.tif 000039
【図２】
2015520991.tif 000040
【図３】
2015520991.tif 000041
【図４】
2015520991.tif 000042
【図５】
2015520991.tif 000043
【図６】
2015520991.tif 000044
【図７】
2015520991.tif 000045
【図８】
2015520991.tif 000046
【図９】
2015520991.tif 000047
【図１０】
2015520991.tif 000048
【図１１】
2015520991.tif 000049
【図１２】
2015520991.tif 000050
【図１３】
2015520991.tif 000051
【図１４】
2015520991.tif 000052
【図１５】
2015520991.tif 000053
【図１６】
2015520991.tif 000054
【図１７】
2015520991.tif 000055
【図１８】
2015520991.tif 000056
【図１９】
2015520991.tif 000057
【図２０】
2015520991.tif 000058
【国際調査報告】
2015520991.tif 000059
2015520991.tif 000060